(57)【特許請求の範囲】
【請求項１】
無線通信システムの基地局による１ｘ無線送信技術（１ｘＲＴＴ）ビーコンの送信を制御するための方法であって、
前記１ｘＲＴＴビーコンとして構成された１ｘＲＴＴ発見バーストによって提供される前記基地局のメモリ内のｎ×ＳＡＬＬ行列を追跡することであって、‘ｎ’は、１ｘＲＴＴ受信機に通信するために使用される１ｘＲＴＴ周波数の総数を示し、‘Ｓ’は、前記無線通信システムにおいて１ｘＲＴＴ受信機をページングするために使用される１つの１ｘＲＴＴページングスロットを示し、‘ＳＡＬＬ’は、前記無線通信システムにおいて１ｘＲＴＴ受信機をページングするために使用されるすべての１ｘＲＴＴページングスロットの定義された数を示し、前記追跡することは、前記ｎの周波数のうちのいずれが、および前記ｎ×ＳＡＬＬ行列の前記１ｘＲＴＴページングスロットのうちのいずれが、前の１ｘＲＴＴビーコン送信によってカバーされているかを特定することと、
前記ｎの周波数のうちの選択された周波数において前記１ｘＲＴＴページングスロットのうちのすべてよりも少ない数をカバーする‘Ｓ’の数の信号パルスを各々備える前記１ｘＲＴＴ発見バーストを、前記ｎの周波数のうちの選択された周波数で送信することと、
前記１ｘＲＴＴ発見バーストによって提供される前記ｎ×ＳＡＬＬ行列の増大を最大化するために、前記１ｘＲＴＴ発見バーストを送信する前に前記ｎの周波数のうちの前記周波数を選択することと、
を備える、方法。
【請求項２】
前記ｎの周波数のうちの前記周波数を選択することは、前記１ｘＲＴＴ発見バーストの後続の送信によってカバーすることができる前記１ｘＲＴＴページングスロットの部分組を決定することをさらに含む請求項１に記載の方法。
【請求項３】
前記ｎの周波数のうちの前記周波数を選択することは、前記ｎの周波数のうちの各々のｉ番目の周波数に関して、前記ｎ×ＳＡＬＬ行列においてカバーされているということをまだ示されておらず、かつ前記１ｘＲＴＴ発見バーストの前記後続の送信によってカバーすることができる前記１ｘＲＴＴページングスロットの数‘Ｗｉ’を決定することをさらに含む請求項２に記載の方法。
【請求項４】
前記ｎの周波数のうちの前記周波数を選択することは、すべてのｉにおけるＷｉの最大値に等しい最大数Ｗｍａｘを決定することをさらに含み、Ｗｍａｘは、周波数ｆｉで生じる請求項３に記載の方法。
【請求項５】
前記ｎ×ＳＡＬＬ行列を追跡することは、前記選択された周波数ｆｉでの前記１ｘＲＴＴ発見バーストの後続の送信によってカバーされることになるページングスロットに関する前記周波数ｆｉのエントリを予め決定された値に設定することを含む請求項１に記載の方法。
【請求項６】
装置であって、
１ｘ無線送信技術（１ｘＲＴＴ）ビーコンとして構成された１ｘＲＴＴ発見バーストによって提供される基地局のメモリ内のｎ×ＳＡＬＬ行列を追跡し、ここにおいて、‘ｎ’は、１ｘＲＴＴ受信機に通信するために使用される１ｘＲＴＴ周波数の総数を示し、‘Ｓ’は、無線通信システムにおいて１ｘＲＴＴ受信機をページングするために使用される１つの１ｘＲＴＴページングスロットを示し、‘ＳＡＬＬ’は、前記無線通信システムにおいて１ｘＲＴＴ受信機をページングするために使用されるすべての１ｘＲＴＴページングスロットの定義された数を示し、前記追跡することは、前記ｎの周波数のうちのいずれが、および前記ｎ×ＳＡＬＬ行列の前記１ｘＲＴＴページングスロットのうちのいずれが、前の１ｘＲＴＴビーコン送信によってカバーされているかを特定する、
前記ｎの周波数のうちの選択された周波数において前記１ｘＲＴＴページングスロットのうちのすべてよりも少ない数をカバーする‘Ｓ’の数の信号パルスを各々備える前記１ｘＲＴＴ発見バーストを、前記ｎの周波数のうちの選択された周波数で送信し、
前記１ｘＲＴＴ発見バーストによって提供される前記ｎ×ＳＡＬＬ行列の増大を最大化するために、前記１ｘＲＴＴ発見バーストを送信する前に前記ｎの周波数のうちの前記周波数を選択する
ために構成された少なくとも１つのプロセッサと、
データを格納するために前記少なくとも１つのプロセッサに結合されたメモリと、
を備える、装置。
【請求項７】
前記プロセッサは、前記ｎの周波数のうちの前記周波数を選択するためにさらに構成され、前記１ｘＲＴＴ発見バーストの後続の送信によってカバーすることができる前記１ｘＲＴＴページングスロットの部分組を決定することをさらに備える請求項６に記載の装置。
【請求項８】
前記プロセッサは、前記ｎの周波数のうちの前記周波数を選択するためにさらに構成され、前記ｎの周波数のうちの各々のｉ番目の周波数に関して、前記ｎ×ＳＡＬＬ行列においてカバーされているということをまだ示されておらず、かつ前記１ｘＲＴＴ発見バーストの前記後続の送信によってカバーすることができる１ｘＲＴＴページングスロットの数‘Ｗｉ’を決定することをさらに備える請求項７に記載の装置。
【請求項９】
前記プロセッサは、前記ｎの周波数のうちの前記周波数を選択するためにさらに構成され、すべてのｉにおけるＷｉの最大値に等しい最大数Ｗｍａｘを決定することをさらに備え、Ｗｍａｘは、周波数ｆｉで生じる請求項８に記載の装置。
【請求項１０】
前記プロセッサは、前記ｎ×ＳＡＬＬ行列を追跡するためにさらに構成され、前記選択された周波数ｆｉでの前記１ｘＲＴＴ発見バーストの後続の送信によってカバーされることになるページングスロットに関する前記周波数ｆｉのエントリを予め決定された値に設定することをさらに備える請求項６に記載の装置。
【請求項１１】
装置であって、
１ｘ無線送信技術（１ｘＲＴＴ）ビーコンとして構成された１ｘＲＴＴ発見バーストによって提供される基地局のメモリ内のｎ×ＳＡＬＬ行列を追跡するための手段であって、‘ｎ’は、１ｘＲＴＴ受信機に通信するために使用される１ｘＲＴＴ周波数の総数を示し、‘Ｓ’は、無線通信システムにおいて１ｘＲＴＴ受信機をページングするために使用される１つの１ｘＲＴＴページングスロットを示し、‘ＳＡＬＬ’は、前記無線通信システムにおいて１ｘＲＴＴ受信機をページングするために使用されるすべての１ｘＲＴＴページングスロットの定義された数を示し、前記追跡するための手段は、前記ｎの周波数のうちのいずれが、および前記ｎ×ＳＡＬＬ行列の前記１ｘＲＴＴページングスロットのうちのいずれが、前の１ｘＲＴＴビーコン送信によってカバーされているかを特定する手段と、
前記ｎの周波数のうちの選択された周波数において前記１ｘＲＴＴページングスロットのうちのすべてよりも少ない数をカバーする'Ｓ'の数の信号パルスを各々備える前記１ｘＲＴＴ発見バーストを、前記ｎの周波数のうちの選択された周波数で送信するための手段と、
前記１ｘＲＴＴ発見バーストによって提供される前記ｎ×ＳＡＬＬ行列の増大を最大化するために、前記１ｘＲＴＴ発見バーストを送信する前に前記ｎの周波数のうちの前記周波数を選択するための手段と、
を備える、装置。
【請求項１２】
コンピュータプログラムであって、
１ｘ無線送信技術（１ｘＲＴＴ）ビーコンとして構成された１ｘＲＴＴ発見バーストによって提供される基地局のメモリ内のｎ×ＳＡＬＬ行列を追跡することと、ここにおいて、‘ｎ’は、１ｘＲＴＴ受信機に通信するために使用される１ｘＲＴＴ周波数の総数を示し、‘Ｓ’は、無線通信システムにおいて１ｘＲＴＴ受信機をページングするために使用される１つの１ｘＲＴＴページングスロットを示し、‘ＳＡＬＬ’は、前記無線通信システムにおいて１ｘＲＴＴ受信機をページングするために使用されるすべての１ｘＲＴＴページングスロットの定義された数を示し、前記追跡することは、前記ｎの周波数のうちのいずれが、および前記ｎ×ＳＡＬＬ行列の前記１ｘＲＴＴページングスロットのうちのいずれが、前の１ｘＲＴＴビーコン送信によってカバーされているかを特定することと、
前記ｎの周波数のうちの選択された周波数において前記１ｘＲＴＴページングスロットのすべてよりも少ない数をカバーする'Ｓ'の数の信号パルスを各々備える前記１ｘＲＴＴ発見バーストを、前記ｎの周波数のうちの選択された周波数で送信することと、
前記１ｘＲＴＴ発見バーストによって提供される前記ｎ×ＳＡＬＬ行列の増大を最大化するために、前記１ｘＲＴＴ発見バーストを送信する前に前記ｎの周波数のうちの前記周波数を選択することと、
をコンピュータに行わせるためのコードを備える、コンピュータプログラム。
【発明の詳細な説明】
【技術分野】
【０００１】
関連出願の相互参照
本特許出願は、米国仮特許出願一連番号第６１／４３８，６４４号（出願日：２０１１年２月１日）に対する３５  Ｕ．Ｓ．Ｃ．＆１１９（ｅ）に準拠する優先権を主張するものであり、それの内容全体が、引用によってここに組み入れられている
本出願は、概して、無線通信に関するものである。本出願は、より具体的には、モバイルアクセス端末が基地局を見つけるのを援助するためのビーコン送信設計に関するものである。
【背景技術】
【０００２】
第３世代パートナーシッププロジェクト（３ＧＰＰ）ロングタームエボリューション（Ｌｏｎｇ  Ｔｅｒｍ  Ｅｖｏｌｕｔｉｏｎ（ＬＴＥ））は、セルラー技術の長足の進歩の代表例であり、グローバル移動体通信システム（ＧＳＭ（登録商標））及びユニバーサル移動体通信システム（ＵＭＴＳ）の当然の進化としてのセルラー３Ｇサービスにおける次の段階への進歩である。ＬＴＥ物理層（ＰＨＹ）は、エボルブドノードＢ（ｅｖｏｌｖｅｄ  ＮｏｄｅＢ）（ｅＮＢ）及びモバイルエンティティ（ＭＥ）例えば、アクセス端末（ＡＴ）又はユーザ装置（ＵＥ）、との間でデータ及び制御情報の両方を搬送するための非常に効率的な手段である。ＬＴＥ  ＰＨＹは、セルラー用途にとって新規である幾つかの先端技術を採用している。これらは、直交周波数分割多重（ＯＦＤＭ）と、多入力多出力（ＭＩＭＯ）データ送信と、を含む。さらに、ＬＴＥ  ＰＨＹは、ダウンリンク（ＤＬ）では直交周波数分割多元接続（ＯＦＤＭＡ）、アップリンク（ＵＬ）では単一搬送波周波数分割多元接続（ＳＣ−ＦＤＭＡ）を使用する。ＯＦＤＭＡは、指定された数のシンボル期間の間個々の副搬送波ごとに複数のユーザに又は複数のユーザからデータを指向させるのを可能にする。
【０００３】
様々なタイプの通信コンテンツ、例えば、音声及びデータ、を提供するために広範囲にわたって配備されている旧無線通信システムの例は、ＣＤＭＡ２０００、ワイドバンドＣＤＭＡを含む符号分割多元接続（ＣＤＭＡ）システムと、グローバル移動体通信システム（ＧＳＭ）と、ユニバーサル移動体通信システム（ＵＭＴＳ）と、を含む。これらの無線通信システム及びＬＴＥシステムは、概して、異なる無線アクセス技術（ＲＡＴ）及び通信プロトコルを使用し、異なる周波数帯域で動作し、異なるサービス品質（ＱｏＳ）を提供し、及び異なるタイプのサービス及びアプリケーションをシステムユーザに提供する。
【０００４】
無線通信システムのＡＴとアクセスポイント（ＡＰ）との間での通信のためには様々な無線通信プロトコルを使用することができる。例えば、最高１４４ＫＢｐｓのＣＤＭＡシステムでの音声及び一定のデータ送信に関しては、米国電気通信工業会（ＴＩＡ）によってＴＩＡ−２０００シリーズ仕様において定義される１ｘＲＴＴプロトコルを使用することができる。さらに例えば、約６００ＫＢｐｓまでのデータ送信に関しては、この規格の定義された３ＧＰＰ２ＣＳ００２４−０、バージョン４及び後続バージョンとしての１ｘＥｖｏｌｕｔｉｏｎ，Ｄａｔａ  Ｏｐｔｉｍｉｚｅｄ（１ｘＥＶ−ＤＯ）を使用することができる。様々なその他の送信プロトコルも使用することができる。特定のＡＰ又は基地局は、同じ又は異なるアクセス端末による異なるプロトコルの別々の又は同時の使用を可能にするために２つ以上のプロトコルを独立してサポートすることができる。
【０００５】
アイドルモードにあるＡＴは、ＡＰカバレッジエリア間を移動時には、新たなカバレッジエリアでは特定の無線通信プロトコルを用いて無線接続性を利用可能であることを発見するためにＡＰによって周期的に送信されるビーコンを検出することができる。例えば、ＡＴは、利用可能な１ｘＲＴＴ接続性のための１ｘＲＴＴビーコン及び利用可能なデータオプティマイズド（Ｄａｔａ  Ｏｐｔｉｍｉｚｅｄ）（ＤＯ）接続性のためのＤＯビーコンを検出することができる。しかしながら、アイドルモードにあるときには、ＡＴは、限られた間隔でウェイクアップし、ビーコン信号を検出することができるだけである。従って、ＡＴがＡＰを求めてカバレッジエリア内に最初に移動する時間とＡＰを介しての利用可能な接続性の発見を可能にするビーコンの検出との間には望ましくない遅延が生じることがある。
【０００６】
さらに、無線通信システムへのアクセスを提供するための新しいクラスの小型基地局が出現してきており、それらは、既存のブロードバンドインターネット接続を使用するモバイルユニットに屋内無線カバレッジを提供するためにユーザの住宅又は会社内に設置することができる。該基地局は、概してフェムトセルアクセスポイント（ＦＡＰ）と呼ばれるが、ホームノードＢ（ＨＮＢ）ユニット、ホームエボルブドノードＢユニット（ＨｅＮＢ）、フェムトセル、フェムト基地局（ｆＢＳ）、基地局、又は基地局トランシーバシステムと呼ばれることもある。典型的には、フェムトセルアクセスポイントは、デジタル加入者ライン（ＤＳＬ）、ケーブルインターネットアクセス、Ｔ１／Ｔ３、等を介してインターネット及びモバイルオペレータのネットワークに結合され、典型的な基地局機能、例えば、ベーストランシーバ局（ＢＴＳ）技術、無線ネットワークコントローラ、及びゲートウェイサポートノードサービス、を提供する。これは、セルラー／モバイルデバイス又はハンドセット、アクセス端末（ＡＴ）又はユーザ装置（ＵＥ）とも呼ばれる移動局（ＭＳ）がフェムトセルアクセスポイントと通信すること及び無線サービスを利用することを可能にする。この新しいクラスの小型基地局は、ビーコンシグナリングに関する一定のハードウェア上またはリソース上の制限を受けることがあり、さらに、アドホックで（無計画に）配備されることがある。該要因は、カバレッジエリア内に移動するＡＴによる利用可能なビーコンの効率的な検出をより複雑化させるか又はビーコン検出の遅延を悪化させることがある。
【発明の概要】
【０００７】
無線通信システムにおける１つ以上の送信プロトコル（例えば、１ｘＲＴＴ／ＤＯ）によるタイムシェアリングされた同時並行のビーコン送信のための方法、装置及びシステムが詳細な発明を実施するための形態において詳細に説明されており、幾つかの態様が以下において要約される。本発明の概要及び以下の発明を実施するための形態は、統合された開示の補完的な部分であると解釈されるべきであり、それらの部分は、冗長な主題及び／又は補足的な主題を含むことがある。いずれの節における省略も、統合された出願において説明される要素の優先度又は相対的重要度を示すものではない。各々の開示から明らかになるはずであるように、各節間での相違点は、代替実施形態の補足的な開示、追加詳細、又は異なる用語を用いての同一の実施形態の代替説明を含むことである。
【０００８】
ＦＡＰ及び同様の低電圧基地局の急増は、多プロトコル発見ビーコン、例えば、１ｘＲＴＴビーコン及びＤＯビーコン、の発見を難しくするおそれがある。本技術は、発見ビーコン、例えば、１ｘＲＴＴビーコン又はＤＯビーコン、の送信パターンを制御するためにセルラー無線通信システムにおいて基地局によって様々な方法で使用される１つ以上の制御アルゴリズムを含む。その送信パターンは、複数のウェイクアップ期間及びウェイクアップオフセットのうちのいずれか１つを使用するアクセス端末が有限の時間内にすべてのマクロセル周波数を発見するのを可能にする。さらに、異なるプロトコルに関するビーコンに対して、例えば、１ｘＲＴＴビーコン及びＤＯビーコンの両方に対して、単一の送信チェーンを割り当てる幾つかのタイプの基地局、例えば、ＦＡＰ、に関しては、送信パターンは、基地局のカバレッジ内に入る全アクセス端末のために、多プロトコルビーコン、例えば、１ｘＲＴＴビーコン及びＤＯビーコン、に関する確定的な最大の発見時間を可能にする。
【０００９】
一態様では、方法は、第１の方法を用いて、目標とされる発見時間'Ｔ'を達成するために無線通信システムの基地局によるＤＯ送信のための周期的ＤＯビーコンの送信を制御することを含むことができる。第１の方法は、基地局によってサービスが提供されるアクセス端末に関するスリープサイクル数を表すゼロでない正の整数である数字'Ｎ'を決定することを含むことができる。第１の方法は、Ｎ及び周期性'Ｐ'が制御チャネルサイクル数で表されるＴよりも小さい最小公倍数を有するようなゼロ以外のＰを決定することをさらに含むことができる。第１の方法は、システム制御チャネルサイクルと同期化された信号のバーストにおいて一定の間隔（ｒｅｇｕｌａｒ  ｉｎｔｅｒｖａｌ）で配置されたＤＯビーコンを周期的に送信することをさらに含むことができ、それらのバーストの各々における１つ以上の無線周波数の各々での信号は、アクセス端末に関して周期性Ｐを有し及び各々の可能な制御チャネルオフセットをカバーする（ｃｏｖｅｒ）パターンによって決定される。
【００１０】
より詳細な態様では、第１の方法は、Ｐ及びＮの最小公倍数よりも小さくない一定の間隔でバーストのうちの連続するそれらを送信することを含むことができる。代替においては、第１の方法は、制御チャネルサイクル数の点でＬ×Ｎに等しいＰとＮの最小公倍数よりも大きい一定の間隔で配置されたバーストのうちの連続するそれらを送信することを含むことができ、ここで、Ｌは、Ｍ／Ｎと互いに素の整数であり、Ｍは、Ｎよりも大きく、及び、長期スリープサイクルを使用するアクセス端末のうちのそれらに関するスリープサイクル継続時間に対応する。一定の間隔は、ここでは、目標最悪時ＤＯビーコン発見時間と呼ばれることがあり、ＴＤＴ，ｗｏｒｓｔで表される。
【００１１】
他の態様では、第１の方法は、システム制御チャネルサイクルにおける各周波数に関する単一の送信を備えるパターンを用いてビーコンを送信することを含むことができ、Ｐ及びＮの最大公約数は１に等しい。さらに加えて、又は代替においては、第１の方法は、２つの連続する制御チャネルサイクルでの送信を備えるパターンを用いてビーコンを送信することを含むことができる。
【００１２】
多プロトコルによって可能にされるシステムに関連する態様では、第１の方法は、ＤＯビーコンとして構成された信号のバースト間に１ｘＲＴＴ無線送信のための１ｘＲＴＴビーコンとして構成された信号の追加のバーストを送信することを含むことができる。さらに、第１の方法は、１ｘＲＴＴビーコンとしての信号の追加のバーストを、一定の間隔のうちの１つマイナスＤＯビーコンにおける各信号バーストの継続時間よりも大きくないスリープサイクル数Ｎを有するアクセス端末のシステムに関して最悪時発見時間を有するようにパターン化することを含むことができる。ＤＯビーコンにおける各信号バーストの継続時間は、目標高速ＤＯビーコン発見時間と呼ばれることがあり、ＴＤＤ，ｆａｓｔで表される。
【００１３】
多プロトコルによって可能にされるシステムに関連する他の態様では、第１の方法は、数値増分レジスタ値がゼロでない数の未定のＤＯ登録を示すことに応答して、１ｘ無線送信技術（１ｘＲＴＴ）無線送信に関してユーザ登録を完了させることによってトリガされたＤＯビーコンを送信することを含むことができる。さらに、第１の方法は、１ｘＲＴＴユーザ登録を完了させる及びＤＯユーザ登録を完了させる各々の異なるイベントに対応する量をオフセットする際にレジスタ値を増分及び減分することによって未決のＤＯ登録の数を追跡するためにレジスタを使用することを含むことができる。
【００１４】
他の態様では、第２の方法は、代替実施形態においては、無線通信システムの基地局によるオポチュニスティック（ｏｐｐｏｒｔｕｎｉｓｔｉｃ）ＤＯビーコンの送信を制御するために使用することができる。第２の方法は、基地局メモリ内の未決のＤＯ登録の数を示す数値カウンタを維持することを含むことができる。第２の方法は、数値カウンタが少なくとも１つの未決のＤＯ登録を示すときに基地局において１ｘＲＴＴ無線送信に関してユーザ登録を完了させることに応答してＤＯビーコン送信の開始をトリガすることをさらに含むことができる。基地局は、１ｘＲＴＴ又はその他のサービスに関して基地局に登録している現在登録されているユーザ又はアクセス端末を追跡するリスト又はその他のデータ構造を維持するのを回避することができる。その代わりに、基地局は、１ｘＲＴＴ登録を完了したときに数値カウンタ値のみに応答してＤＯビーコン送信の開始をトリガすることができる。
【００１５】
数値カウンタに関して、第２の方法は、１ｘＲＴＴユーザ登録を完了させる及びＤＯユーザ登録を完了させる各々の異なるイベントに対応する量をオフセットする際にカウンタを増分及び減分することによって未決のＤＯ登録の数を示すことを含むことができる。代替においては、又はさらに加えて、第２の方法は、別々のカウンタを維持することによって数値カウンタを維持することを含むことができ、第１の数値カウンタは、第１の継続時間の間にＤＯビーコンを送信した最後のインスタンス以降の未決のＤＯ登録の数を示し、第２の数値カウンタは、第２の継続時間の間にＤＯビーコンを送信した最後のインスタンス以降の未決のＤＯ登録の数マイナス第１の数値カウンタの現在値を示す。数値カウンタを維持するためのその他のアルゴリズムも適切であることができる。
【００１６】
その他の態様では、第２の方法は、ＤＯビーコン送信の開始のトリガが少なくとも１つの１つのタイマに応答してどのような頻度で実施されるかを制限することを含むことができる。さらに加えて、又は代替においては、第２の方法は、時には第１の継続時間の間にＤＯビーコンを送信することと、その他の時には、第１の継続時間よりも実質的に長い第２の継続時間の間ＤＯビーコンを送信することと、を含むことができる。実質的により長い第２の継続時間は、例えば、第１の継続時間の２倍又はそれよりも長いことができる。他の代替の又は追加の態様では、第２の方法は、ＤＯビーコンとして構成された周期的バースト間に１ｘＲＴＴビーコンとして構成された追加のバーストを送信することを含むことができる。
【００１７】
他の態様では、第３の方法は、代替実施形態においては、無線通信システムの基地局による１ｘＲＴＴビーコンの送信のために使用することができる。第３の方法は、対応する信号におけるｎの数の１ｘＲＴＴ周波数に関する１ｘＲＴＴ発見バーストを送信することを含むことができ、各々の周波数に関する信号は、繰り返しシーケンスで次々に送信される。第３の方法は、ｂＳ＋Δによって決定された継続時間の間に信号の各々を送信することをさらに含むことができ、‘ｂ’は整数であり、‘Ｓ’は、１ｘＲＴＴ受信機をページングするために使用されるすべての１ｘＲＴＴページングスロットの定義された数ＳＡＬＬよりも小さいか又は等しく、‘Δ’は、ゼロよりも大きい推定された一定の遅延値である。
【００１８】
その他のより詳細な態様では、第３の方法は、すべてのｎの周波数に関する信号を備える１ｘＲＴＴバーストを送信することを含むことができ、１ｘＲＴＴバーストの各々は、ｎ（ｂＳ＋Δ）の周期を有する。代替の又は追加の態様では、第３の方法は、ｂＳ＋Δによって決定された継続時間を有する各々の周波数に関する１ｘＲＴＴバーストを送信することを含むことができ、Ｓは、１ｘＲＴＴ受信機をページングするために使用されるすべての１ｘＲＴＴページングスロットの定義された数ＳＡＬＬに等しく、１ｘＲＴＴバーストの各々は、ｎ（ｂＳＡＬＬ＋Δ）の周期を有する。代替においては、又はさらに加えて、第３の方法は、基地局での周波数切り換え遅延及びアクセス端末でのページングチャネル復号遅延のうちの少なくとも１つを備える予想される遅延の和を補償するためのΔに関する値を定義することを含むことができる。
【００１９】
その他のより詳細な態様では、第３の方法は、繰り返しシーケンスのＮ番目のサイクルごとに増大された電力レベルで１ｘＲＴＴビーコンを送信することを含むことができ、Ｎは、１よりも大きい整数である。代替の又は追加の態様では、第３の方法は、１ｘＲＴＴビーコンへのアイドルハンドオフをトリガするために２つよりも多くない連続するウェイクアップサイクルを要求するアクセス端末に対処するために、繰り返しシーケンスの全信号に関して２に等しい整数ｂを選択することを含むことができる。さらなる代替の又は追加の態様では、第３の方法は、１ｘＲＴＴビーコンへのアイドルハンドオフをトリガするために単一よりも多くないウェイクアップサイクルを要求するアクセス端末に対処するために、繰り返しシーケンスの全信号に関して１に等しい整数ｂを選択することを含むことができる。
【００２０】
さらなる、より詳細な態様では、第３の方法は、ｂＳ＋Δによって決定された継続時間を有するすべてのｎの周波数に関する信号を送信することを含むことができ、Ｓｂ及びΔは、（ｂＳ＋Δ）が、１ｘＲＴＴ受信機をページングし及びこのホッピングサイクルをＮｆ−ｐｅｒ−ｃｙｃｌｅ回繰り返すために使用される１ｘＲＴＴページングスロットの定義された数ＳＡＬＬよりも小さいような値である。該実施形態では、第３の方法は、次のホッピングサイクルを開始する前にデッドタイム（ｄｅａｄ  ｔｉｍｅ）ＴＤの間待機することによってすべてのｎの周波数を通じてＮｆ−ｐｅｒ−ｃｙｃｌｅ回ホッピング後にビーコンバーストの送信をスタガリング（ｓｔａｇｇｅｒｉｎｇ）することをさらに含むことができ、ＴＤは、１ｘＲＴＴ受信機をページングするために用いられるすべての１ｘＲＴＴページングスロットが、小数第１位が切り上げられたＳＡＬＬ／（ｂＳ＋Δ）＊Ｎｆ−ｐｅｒ−ｃｙｃｌｅ）よりも大きくない連続するホッピングサイクルの数を用いてカバー（ｃｏｖｅｒ）されるように計算される。さらに、第３の方法は、１又はｆｌｏｏｒ［ＳＡＬＬ／（ｎ（ｂＳ＋Δ）］から選択された数に等しいＮｆ−ｐｅｒ−ｃｙｃｌｅを選択することをさらに含むことができる。他の追加の態様では、第３の方法は、ＴＤ＝ＴＤ１＋ＴＤ２であるようにデッドタイムＴＤを計算することをさらに含むことができ、ＴＤ２＝（ｂＳ＋Δ）であり、［ｎＮｆ−ｐｅｒ−ｃｙｃｌｅ（ｂＳ＋Δ）＋ＴＤ１］は、ＳＡＬＬの整数倍数である。
【００２１】
他の態様では、第４の方法は、代替実施形態においては、無線通信システムの基地局による１ｘＲＴＴビーコンの送信のために使用することができる。第４の方法は、１ｘＲＴＴ発見バーストによって提供される基地局のメモリ内のｎ×ＳＡＬＬ行列のカバレッジを追跡することを含むことができ、ここで、'ｎ'は、１ｘＲＴＴ受信機に通信するために使用される１ｘＲＴＴ周波数の総数を示し、'ＳＡＬＬ'は、無線通信システムにおいて１ｘＲＴＴ受信機をページングするために使用されるすべての１ｘＲＴＴページングスロットの定義された数を示す。第４の方法は、ｎの周波数のうちの１つの選択されたそれでの１ｘＲＴＴページングスロットのうちのすべてよりも少ない数をカバーする'Ｓ'の数の信号パルスを各々の備える１ｘＲＴＴ発見バーストを、ｎの周波数のうちの選択されたそれらにおいて、送信することをさらに含むことができる。さらに、第４の方法は、１ｘＲＴＴ発見バーストの各々の引き続くそれによって提供されるｎ×ＳＡＬＬ行列のカバレッジの増大を最大化するために１ｘＲＴＴ発見バーストのうちのそれらを送信する前にｎの周波数のうちのそれらを選択することを含むことができる。
【００２２】
第４の方法のより詳細な態様では、ｎの周波数のうちのそれらを選択することは、Ｓの数の信号パルスから成る次の組によってカバーすることができる１ｘＲＴＴページングスロットの部分組を決定することをさらに含むことができる。
【００２３】
その他のより詳細な態様では、ｎの周波数のうちのそれらを選択することは、ｎの周波数のうちの各々のｉ番目のそれに関して、ｎ×ＳＡＬＬ行列においてカバーされているということをまだ示されておらず及びＳの数の信号パルスから成る次の組によってカバーすることができる１ｘＲＴＴページングスロットの数'Ｗｉ'を決定することをさらに含むことができる。さらに加えて、又は代替においては、ｎの周波数のうちのそれらを選択することは、すべてのｉにおけるＷｉの最大値に等しい最大数Ｗｍａｘを決定することをさらに含むことができ、Ｗｍａｘは、周波数ｆｉで生じる。
【００２４】
第４の方法の他のより詳細な態様では、ｎ×ＳＡＬＬ行列のカバレッジを追跡することは、選択された周波数ｆｉでのＳの数の信号パルスから成る次の組によってカバーされるページングスロットに関するこの周波数ｆｉのエントリを予め決定された値に設定することを含むことができる。ｎ×ＳＡＬＬ行列全体がカバーされた時点で、行列内の全エントリをクリアしてサイクルを繰り返すことができる。
【００２５】
関連する態様では、上記において要約された方法及び方法の態様のうちのいずれかを実施するための無線通信装置を提供することができる。装置は、例えば、メモリに結合されたプロセッサを含むことができ、メモリは、上述される動作を実施することを装置に行わせるためにプロセッサによって実行するための命令を保持する。該装置の幾つかの態様（例えば、ハードウェアに関する態様）は、装置、例えば、無線通信のために使用される様々なタイプのモバイルエンティティ又は基地局、を典型例として挙げることができる。同様に、プロセッサによって実行されたときに上記において要約される方法及び方法の態様を実施することを無線通信装置に行わせる符号化された命令を保持する非一時的なコンピュータによって読み取り可能な媒体を含む製造品を提供することができる。
【００２６】
第１、第２、第３又は第４の方法の全動作は、ここにおける別の場所でより詳細に説明されるコンポーネントを用いて、無線通信システムの基地局又はその他のアクセスポイントによって実施することができる。これらの方法のいずれも１ｘＲＴＴ発見ビーコン及びＤＯ発見ビーコンの送信を制御するために使用することができるが、それらは、その他の送信プロトコルを使用するシステムでのビーコン送信を制御するためにも使用することができる。
【００２７】
無線通信システムにおけるタイムシェアリングされた同時並行の多プロトコル（例えば、１ｘＲＴＴ／ＤＯ）ビーコン送信のための方法、装置及びシステムのさらなる実施形態、態様及び詳細が以下の詳細な発明を実施するための形態において提示される。
【図面の簡単な説明】
【００２８】
１つ以上の様々な実施形態による本技術が、以下の図を参照して詳細に説明される。図面は、例示のみを目的として提供され、本技術の典型的な実施形態又は実施形態例を描くにすぎない。これらの図面は、本技術に関する読者の理解を容易にするために提供されるものであり、本技術の幅広さ、適用範囲、又は適用可能性を制限するものであるとはみなされないものとする。
【図１】多元接続無線通信システムを例示した図である。
【図２】通信システムのブロック図を例示した図である。
【図３】幾つかのユーザをサポートするように構成された無線通信システムを例示した図である。
【図４】ネットワーク環境内でのフェムトノードの配備を可能にするための典型的な通信システムを例示した図である。
【図５】タイムシェアリングされた同時並行の１ｘ／ＤＯビーコンの例を示した図である。
【図６】タイムシェアリングされた同時並行の１ｘ／ＤＯビーコンのさらなる例及び追加の態様を例示した図である。
【図７】周期的エボルブドデータオプティマイズド（ＥＶ−ＤＯ）ビーコンを制御するための方法の例を示した図である。
【図８Ａ】図７の方法のさらなる態様を示した図である。
【図８Ｂ】図７の方法のさらなる態様を示した図である。
【図８Ｃ】図７の方法のさらなる態様を示した図である。
【図９】周期的ＥＶ−ＤＯビーコンを制御するための装置の例を示した図である。
【図１０Ａ】オポチュニスティックＥＶ−ＤＯビーコンを制御するための方法の例、及びそれの追加の態様を示した図である。
【図１０Ｂ】オポチュニスティックＥＶ−ＤＯビーコンを制御するための方法の例、及びそれの追加の態様を示した図である。
【図１１】オポチュニスティックＥＶ−ＤＯビーコンを制御するための装置の例を示した図である。
【図１２Ａ】“欲張りでない”アルゴリズムによる１ｘＲＴＴビーコンを制御するための方法の例、及びそれの追加の態様を示した図である。
【図１２Ｂ】“欲張りでない”アルゴリズムによる１ｘＲＴＴビーコンを制御するための方法の例、及びそれの追加の態様を示した図である。
【図１２Ｃ】“欲張りでない”アルゴリズムによる１ｘＲＴＴビーコンを制御するための方法の例、及びそれの追加の態様を示した図である。
【図１３】図１２Ａの方法による１ｘＲＴＴビーコンを制御するための装置の例を示した図である。
【図１４】“欲張り”アルゴリズムによる１ｘＲＴＴビーコンを制御するための方法の例を示した図である。
【図１５】図１４の方法のさらなる態様を示した図である。
【図１６】“欲張り”アルゴリズムによる１ｘＲＴＴビーコンを制御するための装置の例を示した図である。
【発明を実施するための形態】
【００２９】
今度は、図面を参照して様々な実施形態が説明され、全体を通じて同様の要素に言及するために同様の参照数字が用いられる。以下の説明においては、説明する目的上、１つ以上の実施形態についての徹底的な理解を提供するために数多くの具体的な詳細が示される。しかしながら、該実施形態は、これらの具体的な詳細なしに実践可能であることが明確であろう。その他の事例においては、１つ以上の実施形態についての説明を容易にするためによく知られた構造及びデバイスはブロック図形で示される。
【００３０】
ここにおいて説明される技法は、様々な無線通信ネットワーク、例えば、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一搬送波ＦＤＭＡネットワーク、等に関して用いることができる。用語“ネットワーク”及び“システム”は、ここにおいては互換可能な形で用いることができる。ＣＤＭＡネットワークは、例えば、ユニバーサル地上無線アクセス（ＵＴＲＡ）、ＣＤＭＡ２０００、等の無線技術を実装することができる。ＵＴＲＡは、広帯域−ＣＤＭＡ（Ｗ−ＣＤＭＡ）とローチップレート（ＬＣＲ）とを含む。ＣＤＭＡ２０００は、第３世代パートナーシッププロジェクト２（３ＧＰＰ２）によるＩＳ−２０００規格、ＩＳ−９５規格及びＩＳ−８５６規格において記述される無線技術を包含することができる。ＴＤＭＡネットワークは、例えば、グローバル移動体通信システム（ＧＳＭ）、等の無線技術を実装することができる。ＯＦＤＭＡネットワークは、エボルブド（Ｅｖｏｌｖｅｄ）ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）、等の無線技術を実装することができる。ＵＴＲＡ、Ｅ−ＵＴＲＡ、及びＧＳＭは、ユニバーサル移動体通信システム（ＵＭＴＳ）の一部である。ロングタームエボリューション（Ｌｏｎｇ  Ｔｅｒｍ  Ｅｖｏｌｕｔｉｏｎ）（ＬＴＥ）は、Ｅ−ＵＴＲＡを使用するＵＭＴＳのリリース版である。ＵＴＲＡ、Ｅ−ＵＴＲＡ、ＧＳＭ、ＵＭＴＳ及びＬＴＥは、“第３世代パートナーシッププロジェクト”（３ＧＰＰ）という名称の組織からの文書において記述される。ＣＤＭＡ２０００は、３ＧＰＰ２という名称の組織からの文書において記述される。これらの様々な無線技術及び規格は、当業においては既知である。以下の説明では、簡潔性及び明確化を目的として、国際電気通信連合（ＩＴＵ）による３ＧＰＰ規格の下で公布されているＷ−ＣＤＭＡ規格及びＬＴＥ規格と関連付けられた用語が使用される。ここにおいて説明される技法は、その他の技術、例えば、上記の技術及び規格、に対しても適用可能であることが強調されるべきである。
【００３１】
単一搬送波変調及び周波数領域等化を利用する単一搬送波周波数分割多元接続（ＳＣ−ＦＤＭＡ）は、ＯＦＤＭＡシステムのそれらと同様の性能及び実質的に同じ複雑さを有する。ＳＣ−ＦＤＭＡ信号は、それの固有の単一搬送波構造に起因してより低いピーク−平均電力比（ＰＡＰＲ）を有する。ＳＣ−ＦＤＭＡは、特に、より低いＰＡＰＲのほうがモバイル端末に対して送信電力効率の点で大きな利益をもたらすアップリンク通信において、大きな注目を集めている。ＳＣ−ＦＤＭＡは、３ＧＰＰ  ＬＴＥ、又はＥｖｏｌｖｅｄ  ＵＴＲＡにおけるアップリンク多元接続のために使用される。
【００３２】
図１を参照し、一実施形態による多元接続無線通信システムが例示される。アクセスポイント１００（例えば、基地局、ｅｖｏｌｖｅｄ  ＮｏｄｅＢ（ｅＮＢ）、等）は、複数のアンテナグループを含み、１つは、１０４と１０６とを含み、他は、１０８と１１０とを含み、及び追加の１つは、１１２と１１４とを含む。図１においては、各アンテナグループに関して２本のアンテナが示されるが、これよりも多い又は少ない数のアンテナを各グループのために利用することができる。モバイルエンティティ（ＭＥ）１１６は、アンテナ１１２及び１１４と通信中であり、アンテナ１１２及び１１４は、順方向リンク１２０を通じてモバイルエンティティ１１６に情報を送信し、逆方向リンク１１８を通じてモバイルエンティティ１１６から情報を受信する。モバイルエンティティ１２２は、アンテナ１０４及び１０６と通信中であり、アンテナ１０４及び１０６は、順方向リンク１２６を通じてモバイルエンティティ１２２に情報を送信し、逆方向リンク１２４を通じてモバイルエンティティ１２２から情報を受信する。周波数分割複信（ＦＤＤ）システムでは、通信リンク１１８、１２０、１２４及び１２６は、通信のために異なる周波数を使用することができる。例えば、順方向リンク１２０は、逆方向リンク１１８によって使用される周波数と異なるそれを使用することができる。
【００３３】
各アンテナグループ及び／又はそれらが通信するように設計されているエリアは、アクセスポイントのセクタとしばしば呼ばれる。幾つかの実施形態では、アンテナグループは、各々、アクセスポイント１００によってカバーされるエリアの、セクタ内のモバイルエンティティと通信するように設計される。
【００３４】
順方向リンク１２０及び１２６を通じての通信では、アクセスポイント１００の送信アンテナは、異なるモバイルエンティティ１１６及び１２２に関する順方向リンクの信号対雑音比を向上させるためにビーム形成を利用することができる。さらに、そのカバレッジ全体にランダムに散在するモバイルエンティティに送信するためにビーム形成を使用するアクセスポイントは、単一のアンテナを通じてそれの全モバイルエンティティに送信するアクセスポイントよりも低い干渉を近隣セルにおいて発生させる。
【００３５】
アクセスポイントは、端末と通信するために使用される固定局であることができ、基地局、ノードＢ、ｅＮＢ、ホームノードＢ、フェムト基地局、フェムトアクセスポイント、又は何らかのその他の用語で呼ぶこともできる。モバイルエンティティは、アクセス端末（ＡＴ）、ユーザ装置（ＥＵ）、移動局、無線通信デバイス、端末、等と呼ばれることもある。
【００３６】
図２は、ＭＩＭＯシステム２００における送信機システム２１０（アクセスポイントとも呼ばれる）及び受信機システム２５０（モバイルエンティティとも呼ばれる）の実施形態のブロック図である。送信機システム２１０では、データソース２１２から送信（ＴＸ）データプロセッサ２１４に幾つかのデータストリームのためのトラフィックデータを提供することができる。
【００３７】
一実施形態では、各データストリームは、各々の送信アンテナを通じて送信することができる。ＴＸデータプロセッサ２１４は、コーディングされたデータを提供するために各データストリームのために選択された特定のコーディング方式に基づいてそのデータストリームのためのトラフィックデータをフォーマット化、コーディング、及びインターリービングすることができる。
【００３８】
各データストリームのためのコーディングされたデータは、ＯＦＤＭ技法を用いてパイロットデータと多重化することができる。パイロットデータは、典型的には、既知の方法で処理される既知のデータパターンであり、チャネル応答を推定するために受信機システムにおいて使用することができる。次に、各データストリームのための多重化されたパイロットデータ及びコーディングされたデータは、変調シンボルを提供するためにそのデータストリームに関して選択された特定の変調方式（例えば、二位相偏移変調（ＢＰＳＫ）、四位相偏移変調（ＱＰＳＫ）、Ｍ−ａｒｙ位相偏移変調（Ｍ−ＰＳＫ）、又は多レベル直交振幅変調（Ｍ−ＱＡＭ））に基づいて変調する（例えば、シンボルマッピングする）ことができる。各データストリームに関するデータレート、コーディング、及び変調は、プロセッサ２３０によって実行される命令によって決定することができ、それらは、メモリ２３２と動作可能な形での通信状態にあることができる。メモリ２３２は、プロセッサ２３０によって（それ自体によって又はアクセスポイントのその他のプロセッサと協力して）実行されたときに、送信機２２２ａ乃至２２２ｔからの発見ビーコンの送信を制御するためにここにおいて開示される方法を実施することをアクセスポイント２１０に行わせるプログラム命令を保持することができる。
【００３９】
データストリームに関する変調シンボルは、ＴＸ  ＭＩＭＯプロセッサ２２０に提供することができ、それは、（例えば、ＯＦＤＭに関する）変調シンボルをさらに処理することができる。次に、ＴＸ  ＭＩＭＯプロセッサ２２０は、ＮＴの変調シンボルストリームをＮＴの送信機（ＴＭＴＲ）２２２ａ乃至２２２ｔに提供することができる。幾つかの実施形態では、ＴＸ  ＭＩＭＯプロセッサ２２０は、データストリームのシンボルに対して及びシンボルを送信中であるアンテナに対してビーム形成重みを適用することができる。
【００４０】
各送信機２２２ａ乃至２２２ｔは、各々のシンボルストリームを受信及び処理して１つ以上のアナログ信号を提供し、これらのアナログ信号をさらにコンディショニング（例えば、増幅、フィルタリング、及びアップコンバージョン）してＭＩＭＯチャネルでの送信に適する変調された信号を提供することができる。これで、送信機２２２ａ乃至２２２ｔからのＮＴの変調された信号をＮＴのアンテナ２２４ａ乃至２２４ｔからそれぞれ送信することができる。
【００４１】
受信機システム２５０において、送信された変調された信号は、ＮＲのアンテナ２５２ａ乃至２５２ｒによって受信することができ、各アンテナ２５２からの受信された信号は、各々の受信機（ＲＣＶＲ）２５４ａ乃至２５４ｒに提供することができる。各受信機２５４は、各々の受信された信号をコンディショニング（例えば、フィルタリング、増幅、及びダウンコンバージョン）し、コンディショニングされた信号をデジタル化してサンプルを提供し、これらのサンプルをさらに処理して対応する“受信された”シンボルストリームを提供することができる。
【００４２】
次に、ＲＸデータプロセッサ２６０は、ＮＲの受信機２５４からのＮＲの受信されたシンボルストリームを受け取り及び特定の受信機処理技法に基づいて処理してＮＴの“検出された”シンボルストリームを提供することができる。ＲＸデータプロセッサ２６０は、各検出されたシンボルストリームを復調、デインターリービング、及び復号してデータストリームのためのトラフィックデータを復元することができる。ＲＸデータプロセッサ２６０による処理は、送信機システム２１０におけるＴＸ  ＭＩＭＯプロセッサ２２０及びＴＸデータプロセッサ２１４によって行われるそれを補完するものであることができる。
【００４３】
プロセッサ２７０は、いずれのプリコーディング行列を使用すべきかを周期的に決定することができる。プロセッサ２７０は、行列インデックス部分と階数値部分とを備える逆方向リンクメッセージを生成することができ、及び、メモリ２７２と動作可能な形での通信状態にあることができる。
【００４４】
逆方向リンクメッセージは、通信リンク及び／又は受信されたデータストリームに関する様々なタイプの情報を備えることができる。次に、逆方向リンクメッセージは、幾つかのデータストリームに関するトラフィックデータもデータソース２３６から受け取ることができるＴＸデータプロセッサ２３８によって処理し、変調器２８０によって変調し、送信機２５４ａ乃至２５４ｒによってコンディショニングし、送信機システム２１０に送信して戻すことができる。
【００４５】
送信機システム２１０において、受信機システム２５０からの変調された信号は、アンテナ２２４によって受信し、受信機２２２によってコンディショニングし、復調器２４０によって復調し、ＲＸデータプロセッサ２４２によって処理して、受信機システム２５０によって送信された逆方向リンクメッセージを抽出することができる。プロセッサ２３０は、いずれのプリコーディング行列をビーム形成重みの決定のために用いるべきかを決定することができ、抽出されたメッセージを処理する。
【００４６】
図３は、複数のユーザをサポートするように構成されたセルラー無線通信システム３００を例示し、ここにおける教示を実装することができる。システム３００は、複数のセル３０２、例えば、マクロセル３０２ａ乃至３０２ｇ、のための通信を提供することができ、各セルは、対応するアクセスノード３０４（例えば、アクセスノード３０４ａ乃至３０４ｇ）によってサービスが提供される。アクセスノードは、ｅ−Ｎｏｄｅ  Ｂ（ｅＮＢ）又はより一般的にノードＢと呼ばれることがある。図３に示されるように、モバイルエンティティ３０６（例えば、モバイルエンティティ３０６ａ乃至３０６ｌ）は、様々な位置に散在し、経時でシステム３００内を移動することができる。各モバイルエンティティ３０６は、例えば、モバイルエンティティ３０６がアクティブであるかどうか及びそれがソフトハンドオフであるかどうか（該当する場合）に依存して、所定の時点に順方向リンク（"ＦＬ"）及び／又は逆方向リンク（"ＲＬ"）で１つ以上のアクセスノード３０４と通信することができる。無線通信システム３００は、広範な地域にわたってサービスを提供することができる。例えば、マクロセル３０２ａ乃至３０２ｇは、都市部又は近郊においては数ブロック又は田園環境においては数マイルをカバーすることができる。
【００４７】
ここにおいて説明される実施形態の態様により、モバイルエンティティは、１つ以上のネットワーク、例えば、ＬＴＥ、ＵＴＲＡＮ、ＧＳＭ、ＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）（ＧＳＭエボリューションのための拡張データレート）無線アクセスネットワーク（ＧＥＲＡＮ）、及び／又はＣＤＭＡ２０００ネットワークにおける最後のサービス提供セル及び／又は近隣セルの測定を報告することができる。報告された測定は、ネットワークの配備及び同調を最適化するための無線リンク失敗（ＲＬＦ）に関する情報を収集するためにネットワークによって使用することができる。ここでは３ＧＰＰ２規格の下で公布されたＬＴＥ規格と関連する用語が使用されるが、ここにおいて説明される技法は、その他の技術及び規格に対しても適用可能であることが再度注記される。
【００４８】
図４は、ホームノードＢ（ＨＮＢ）と時折呼ばれる１つ以上のフェムトノードがネットワーク環境内に配備される典型的な通信システム４００を例示する。具体的には、システム４００は、相対的に小規模なネットワーク環境（例えば、１つ以上のユーザ住宅４３０又は企業）において設置された１つ以上の複数のフェムトノード４１０を含む。各フェムトノード４１０は、ＤＳＬルータ、ケーブルモデム、無線リンク、又はその他の接続手段（示されていない）を介してワイドエリアネットワーク４４０（例えば、インターネット）及びモバイルオペレータコアネットワーク４５０に結合することができる。各フェムトノード４１０は、関連付けられたモバイルエンティティ４２０、そしてより一般的には、無線範囲内の複数のモバイルエンティティ、に対してサービスを提供するように構成することができる。幾つかの用途では、フェムトノード４１０へのアクセスは、所定のモバイルエンティティ４２０に対して一組の指定された（例えば、ホーム）フェムトノードによってサービスを提供することができるが、指定されていないフェムトノード（例えば、近隣体のフェムトノード）によってはサービスを提供することができないように制限することができる。
【００４９】
モバイルがフェムト基地局（ＢＳ）、例えば、ノード４１０、を見つけるのを援助するための１×無線送信技術（１ｘＲＴＴ又は“１ｘ”）及びエボリューションデータオプティマイズド（Ｅｖｏｌｕｔｉｏｎ  Ｄａｔａ  Ｏｐｔｉｍｉｚｅｄ）（ＥＶ−ＤＯ又はＤＯ）フェムトセル配備に関してビーコンが提案されている。マクロネットワーク４５０において複数の搬送波を利用可能であるときには、モバイルは、１ｘＲＴＴ及びＤＯの両方に関してこれらの搬送波のうちの１つにおいてアイドルモードであることができる。しかしながら、ＡＴ４２０が関連付けられたフェムトセルの範囲内に入った時点で、そのＡＴがフェムトＢＳを検出してＤＯと同様に１ｘＲＴＴにおいてフェムトセル周波数にリダイレクションするのを可能にするためにシグナリングが提供されるべきである。これを達成するために、フェムトＢＳは、１ｘＲＴＴ及びＤＯマクロ周波数でビーコン４１５を放射することができ、それは、１ｘＲＴＴでは、パイロット、同期化及びページングチャネルから成り、ＤＯでは、標準的なＥＶ−ＤＯパイロット、メディアアクセス制御（ＭＡＣ）層バースト及び制御チャネル（ＣＣ）から成る。１ｘＲＴＴでは、ページングチャネルオーバーヘッドメッセージは、アイドルモードのモバイルをフェムトセルの１ｘＲＴＴ周波数にリダイレクションすることができる。ＤＯでは、この機能は、アイドルモードのモバイルをフェムトセルのＥＶ−ＤＯ周波数にリダイレクションするためにＣＣオーバーヘッドメッセージによって実施することができる。
【００５０】
ビーコンは、例えば、マクロアクセスノード４６０において、マクロネットワークと干渉する可能性を有する。この干渉を制限するためには、ビーコン４１５は、頻繁でない周期的な方法で動作させることができる。しかしながら、ユーザを素早く捕捉するために、ビーコンは、‘オポチュニスティック’な形で送信することもでき、それの送信は、フェムトカバレッジエリアへのＡＴの到着が示されることによってトリガされ、例えば、１ｘＲＴＴユーザ登録又は帯域外ユーザ発見、である。１ｘＲＴＴ登録は、近傍における潜在的なハンドセットの存在を示し、オポチュニスティックビーコンは、マクロネットワークに対して有意な干渉を引き起こさずに素早くＡＴを捕捉するためにそれを利用する。
【００５１】
ビーコン４１５は、有限の量の時間内にすべてのウェイクアップ期間及びウェイクアップオフセットを有するすべてのマクロ周波数でのＡＴを発見することができるべきである。ビーコンスケジューラは、ビーコンを送信するために用いられるスケジューリングパターンがこの制約を満たすようにすべきである。
【００５２】
さらに、ハードウェア上の制限に起因して、ＨＮＢ又はその他の基地局は、１ｘＲＴＴビーコン又はＤＯビーコンに割り当てられた単一の送信チェーンに限定することができる。送信チェーンは、無線送信を可能にするハードウェアアセンブリを意味し、例えば、集積回路において提供されるような増幅器、等を含む。従って、送信チェーンは、複数のマクロ搬送波でビーコンを送信するために１ｘＲＴＴ及びＤＯの両方によって共有して発見ビーコンのために利用可能なリソースを実効的に低減させることが必要になる。従って、１ｘＲＴＴ及びＤＯビーコン共有送信方式は、フェムトセルカバレッジ内に入るすべてのＡＴのために１ｘＲＴＴ及びＤＯの両方に関して有限の目標発見時間を保証するように効率的に設計されるべきである。
【００５３】
さらに、アイドル状態のモバイルＡＴは、異なるウェイクアップ期間を有するように構成することができる。例えば、ＤＯでは、アイドル状態のモバイルＡＴは、１２ＣＣサイクル又は９６ＣＣサイクルごとにウェイクアップすることができ、適用可能なウェイクアップサイクルオフセットは、基準となるゼロ番目のサイクルからそれぞれ０乃至１１及び０乃至９５の範囲内である。９６ＣＣサイクル（４０．９６秒）のウェイクアップ期間を有するＡＴは、長期スリープ（ＬＳ）ユーザとして表すことができる。ウェイクアップ期間及びオフセットが可変であることは、ＤＯビーコン設計に対して他の要求を課し、それは、これらのウェイクアップ期間及びオフセットを有するすべてのモバイルを発見できるようにすべきであるということである。同様に、１ｘＲＴＴネットワークにおいて、アイドル状態のモバイルが異なる周期性でウェイクアップする場合は、ビーコン送信では、これらのすべてのモバイルＡＴに関しても発見を保証すべきである。
【００５４】
従って、ここにおいて説明される実施形態は、モバイルアクセス端末が異なるアルゴリズムによって生成された様々な特定のスケジューリングパターンを用いて基地局、例えば、ＨＮＢ、を見つけるのを援助するために１ｘＲＴＴ及びＥＶ−ＤＯフェムトセル配備において使用するための技法を提示する。ここでは３ＧＰＰ２規格と関連付けられた例及び用語が使用されるが、ここにおいて説明される技法は、その他の技術及び規格を用いて実装することができる。
【００５５】
幾つかの異なる手法が以下において詳細に説明される。これらの手法は、ＨＮＢ及びその他の基地局からのビーコン送信の設計および実装に関して個々に又は動作可能な形で組み合わせて使用することができる。タイムシェアリングされた１ｘ／ＤＯビーコンは、有用であるが排他的でない用途の代表例である。様々なビーコンスケジューリング方法及びパターンが同様に説明される。
【００５６】
ＤＯビーコンは、２つのモード、すなわち、周期的モード及びオポチュニスティックモード、で送信することができる。ここで使用される場合において、オポチュニスティックモードは、ＤＯビーコンのみが対象であり、１ｘＲＴＴビーコンは対象ではない。様々な周期的１ｘＲＴＴビーコン設計についても説明される。ここで使用される場合において、“周期的”は、絶対的に規則的な周期性であることは必ずしも意味しない。例えば、繰り返しの周期的サイクルは、サイクル間での一定でない遅延又はラグ又は連続するサイクル間で説明されるその他の変動を含むことができる。
【００５７】
図５は、１ｘＲＴＴ及びＤＯに関する５分間の目標最大発見時間に関するタイムシェアリングされたビーコンスケジューリングパターン５００の例を示す（デフォルトの周期的モードのみ）。上方の２本の線５１０は、２つの周波数に関するＤＯ送信バーストを描き、下方の２本の線５２０は、２つの周波数に関する１ｘＲＴＴ送信バーストを描く。目標となる高速発見時間ＴＤＤ，ｆａｓｔは、例えば、信号バースト５１０の継続時間に等しい約３０秒であることができ、目標となる最悪時発見時間ＴＤＴ，ｗｏｒｓｔは、約５分であることができる。オポチュニスティックモードは示されない。ＤＯ送信バーストは、ここにおいてより具体的に説明されるように決定することができる周期性により、２つの周波数の各々での１２の信号を含む。バースト５１０の信号構成は、ここではパターン又はビーコンパターンと時折呼ばれることがある。
【００５８】
図６は、４つのＤＯマクロ周波数に関するタイムシェアリングされた１ｘ／ＤＯビーコン設計６００の他の表現を示し（デフォルトの周期的モードのみ）、一定の間隔で置かれた、ＤＯビーコン送信及び１ｘＲＴＴビーコン送信のそれぞれのインターリービングされたバースト６１０、６２０を備える。真ん中の図６３０は、異なるＣＣサイクルでのＤＯバースト６１０の送信を示す。この例では、目標とするＤＯの短期の又は最短の発見時間ＴＤＯ，ｓｈｏｒｔは、１２と互いに素であるため、ＤＯ短期スリープサイクル数（１２オフセット）である、５ＣＣサイクルが選択される。白の空白も１ｘＲＴＴビーコン送信のために使用することができる。オポチュニスティックモードは示されない。最下図６３０は、ＣＣサイクル境界に関して実際の送信が生じることができるスロットを示す。
【００５９】
ＤＯ周期的モード
ＤＯビーコンパターンを設計するための一般的な方法は、目標発見時間内にすべての指定されたマクロ周波数でのすべての制御チャネルウェイクアップオフセットをカバーすることができるべきである。目標とする短期発見時間を５ＣＣサイクルとする１２の制御チャネルオフセットカウントは１つの特殊な事例である。以下において説明される動作は、一般的な事例でのビーコン設計に関して使用することができる。
【００６０】
初期動作に関して、目標発見時間をＴＤＯ，ｆａｓｔとすると、目標発見時間は、ここではＮＤＯ，ｆａｓｔで表される制御チャネルサイクルで表すことができ、'Ｎ'は、該当する通信システム内のＡＴに関するスリープサイクル又はウェイクアップ期間の数であり、単位は制御チャネル（ＣＣ）サイクルである。例えば、ＮＤＯ，ｆａｓｔは、１２であることができる。基地局は、ビーコン周期性を次のように決定することができる。基地局は、ＬＣＭ（Ｎ，Ｐ）＜ＮＤＯ，ｆａｓｔであるような周期性値'Ｐ'（ＣＣサイクルで表される）を選択することができ、ここで、ＬＣＭは、最小公倍数を表す。説明中の方法では、発見時間は、ＬＣＭ（Ｎ，Ｐ）になる。Ｐは、パターンの周期性になり、すなわち、パターンは、ＰのＣＣサイクルごとに繰り返す。パターンは、すべての周波数でのすべてのＣＣサイクルをカバーするために少なくともＬＣＭ（Ｎ，Ｐ）／Ｐ回繰り返すことが必要になる。
【００６１】
次に、基地局は、次のように、周期Ｐ内に異なる周波数及び制御チャネルサイクルにおいて送信をどのように分布させるかを決定することができる。
【００６２】
１．Ｄ＝ＧＣＤ（Ｎ，Ｐ）を決定し、ここで、ＧＣＤは、Ｎ及びＰの最大公約数である。
【００６３】
２．Ｄ＝＝１の場合は、Ｎ及びＰは定義上互いに素である。この特殊な事例では、基地局は、単に、周期ＰのパターンにおけるあらゆるＣＣサイクルにおける各周波数に関する単一の送信としてビーコンパターンを構成することができる。
【００６４】
３．Ｄが１に等しくない場合は、基地局は、ビーコンパターンを次のように構成することができる。効率的なビーコン設計では、最少数の送信を使用するように努力すべきである。基地局は、すべてのｋに関して条件ｃｋ  ｍｏｄ  Ｄ＝ｋを満たすＣＣサイクルｃ０，ｃ１，ｃ２，．．．，ｃＤ−１の組を決定することができ、周波数ｆ１での送信は、ＣＣサイクルｃ０，ｃ１，ｃ２，．．．，ｃＤ−１で生じ、パターン内でのＣＣサイクルのカウントは０から開始し、各周波数でのビーコン送信に関しては最少のＤのＣＣサイクルが使用される。ＣＣサイクルの組を決定することは、各周波数に関して繰り返すことができ、基地局は、各周波数での送信のために重なり合わないＣＣサイクルを選択することができる。基本的には、パターンは、Ｄに関するオフセット０、１、．．．、Ｄ−１をカバーすべきである。これを行うための１つの単純な方法は、ｃｋ＝ｋに設定することであるが、この単純な手法の欠点は、１つの特定の周波数での送信がひとつに束ねられることである。各々の特定の周波数での送信の間隔をあけることによって、特定の周波数におけるマクロネットワークとの干渉をより長期間にわたって回避することができる。
【００６５】
４．ｃ０，ｃ１，ｃ２，．．．，ｃＤ−１のあらゆる組み合わせに関して重複なしにすべての周波数を納めることができないような周期性Ｐである場合は、基地局は、より大きいＰ値を選択することができる。
【００６６】
上記のアルゴリズムは、ＣＣサイクルでウェイクアップするユーザをリダイレクションするためにそのＣＣサイクルでの単一のビーコン送信が要求される限られた事例にとって有効であることができる。幾つかの条件下ではこれは当てはまらない。代わりに、幾つかのＡＴに関しては、ユーザをリダイレクションするために２つの連続するＣＣ送信が要求される。例えば、ＡＴがＣＣサイクルｍでウェイクアップする場合は、ビーコン送信は、新しいセルへのリダイレクションをトリガするためにＣＣサイクルｍ及びｍ＋１の間ＯＮである必要がある。上記の設計は、各ｃｋ及びｃｋ＋１のための送信を同じ周波数に乗せることによってこの事例をカバーするように拡張することができる。ここで、幾つかの束ねてまとめられた組み合わせがより少ない数の送信を要求するためにより良いであろう。これは、ｃｋ＋１は何らかのその他のｃｎに対応することができるためである。
【００６７】
上記の方法の幾つかの例を以下に示した。
【００６８】
例１：最悪時発見時間が＜１６秒である１つの周波数（ｆ１）関するビーコンパターン。従って、ＮＤＯ，ｆａｓｔ＝３７．５ＣＣサイクル。Ｎ＝１２ＣＣサイクルとする。
【００６９】
ａ．Ｐ＝９を選択すると、ＬＣＭ（９，１２）＝３６であり、＜３７．５である。
【００７０】
ｂ．Ｄ＝ＧＣＤ（９，１２）＝３。従って、ｃｋ  ｍｏｄ３＝ｋであるようなｃ０、ｃ１、ｃ２が選択される。ｆ１に関してｃ０＝０、ｃ１＝１、ｃ２＝２を選択することができる。パターンは、＜１，１，１，０，０，０，０，０，０＞になる。この表記法では、各エントリは、送信がそのＣＣサイクルで実施される周波数に対応する。このため、周波数ｆ１は、０番目のＣＣサイクル乃至２番目のＣＣサイクルであり、３番目のＣＣサイクル乃至８番目のＣＣサイクルでは送信がない。他の代替は、ｆ１に関するｃ０＝０、ｃ１＝７、ｃ２＝２である。パターンは、＜１，０，１，０，０，０，０，１，０＞になる。これで、選択されたパターンは、最低４回繰り返される。ＣＣサイクルのカウントは、ここでは０から開始することに注目すること。
【００７１】
ｃ．上記のように、ウェイクアップのために２つの連続するＣＣサイクルを要求するＡＴに関する設計では、第１のパターンは、＜１，１，１，１，０，０，０，０，０＞に変更することができ、第２のパターンは、＜１，１，１，１，０，０，０，１，１＞に変更することができる。しかしながら、第１のパターンは、同じ発見時間に関してより少ない送信を有するためより有益である。
【００７２】
例２：最悪時発見時間が＜１６秒である２つの周波数（ｆ１、ｆ２）関するビーコン設計パターン。ＮＤＯ，ｆａｓｔ＝３７．５ＣＣサイクル。Ｎ＝１２ＣＣサイクルとする。
【００７３】
ａ．Ｐ＝９を選択すると、ＬＣＭ（９，１２）＝３６であり、＜３７．５である。
【００７４】
ｂ．Ｄ＝ＧＣＤ（９，１２）＝３。従って、ｃｋ  ｍｏｄ３＝ｋであるようなｃ０、ｃ１、ｃ２が選択される。ｆ１に関してはｃ０＝０、ｃ１＝１、ｃ２＝２、及びｆ２に関してはｃ０＝６、ｃ１＝７、ｃ２＝５を選択することができる。パターンは、＜１，１，１，０，０，２，２，２，０＞になる。繰り返すと、各エントリは、送信がそのＣＣサイクルで実施される周波数に対応する。このため、周波数ｆ１は、０番目のＣＣサイクル乃至２番目のＣＣサイクルであり、周波数ｆ２は、５番目のＣＣサイクル乃至７番目のＣＣサイクルであり、３番目、４番目及び８番目のＣＣサイクルでは送信がない。他の代替は、ｆ１に関するｃ０＝０、ｃ１＝７、ｃ２＝２、及びｆ２に関するｃ０＝３、ｃ１＝１、ｃ２＝５である。パターンは、＜１，２，１，２，０，２，０，１，０＞になる。この後者のパターンは、より短いバーストにおいてマクロ制御チャネルと干渉するだけであるためより有益であることができる。いずれのパターンも、最低４回繰り返されなければならない。
【００７５】
ｃ．上記のように、ウェイクアップのために２つの連続するＣＣサイクルを要求する場合の設計では、例２のステップｂにおける第１のパターンを＜１，１，１，１，０，２，２，２，２＞に変更することができる。ステップ２ｂの第２のパターンは、フィールドが重なり合うことになるため拡張することができはない。
【００７６】
例３：最悪時発見時間が＜３０秒である２つの周波数（ｆ１、ｆ２）関するビーコンパターン。ＮＤＯ，ｆａｓｔ＝７０．３ＣＣサイクル。Ｎ＝１２ＣＣサイクルとする。
【００７７】
ａ．Ｐ＝５を選択すると、ＬＣＭ（５，１２）＝６０であり、＜７０．３である。
【００７８】
ｂ．ＧＣＤ（５，１２）＝１。従って、５及び１２は、互いに素である。パターンは、単純に＜１，２，０，０，０＞であることができる。繰り返すと、各エントリは、送信がそのＣＣサイクルで実施される周波数に対応する。このため、周波数ｆ１は、０番目のＣＣサイクルであり、周波数ｆ２は、１番目のＣＣサイクルであり、２番目、３番目及び４番目のＣＣサイクルでは送信がない。このパターンが最低１２回繰り返される。その他の幾つかの可能なパターンは、＜１，０，２，０，０＞、＜０，１，０，０，２＞である。それらはすべて等値である。
【００７９】
ｃ．上記のように、２つの連続するＣＣウェイクアップサイクルを要求するＡＴに関しては、パターンは、＜１，１，２，２，０＞又は＜１，１，０，２，２＞又は等値のものに変更することができる。
【００８０】
周期的ＤＯビーコンとタイムシェアリングされる１ｘＲＴＴビーコンに関して、１ｘＲＴＴビーコンは、最悪時発見時間Ｔ１ｘ，ＷＴ≦ＴＤＴ，ｗｏｒｓｔ−ＴＤ，ｆａｓｔを用いて設計することができる。１ｘＲＴＴビーコン設計は、米国特許出願一連番号第１２／５４２，２９４号において記述されるとおりであること及び／又はここにおいてのちに説明されるとおりであることができる。シェアリングされた設計は、２つのパターンの連結を備えることができる。例えば、基地局は、ＴＤ，ｆａｓｔの継続時間の間ＤＯパターンを送信することができる。この後は、それは、ＴＤ，ｗｏｒｓｔ−ＴＤ，ｆａｓｔの継続時間の間１ｘＲＴＴパターンを送信することができる。１ｘＲＴＴ最悪時発見時間が＜ＴＤ，ｗｏｒｓｔ−ＴＤ，ｆａｓｔである場合は、１ｘＲＴＴ送信の終了とＤＯ送信の開始時の間にスリープ時間を導入し、１ｘＲＴＴビーコン送信とＤＯビーコン送信の合計期間がＴＤＴ，ｗｏｒｓｔ、あるＤＯ  ＣＣサイクル数（例えば、１２）の基数倍数、になるようにすることができる。この連結されたパターン／波形が繰り返される。１２ＣＣサイクルの基数倍数を使用する上での１つの動機は、９６ＣＣサイクルのウェイクアップ期間を有する長期スリープＡＴは、基本的ＤＯビーコンパターンの正確に８回の送信においてカバーされることである。ＤＯビーコンパターンが例１ｃにおいて定義されるように最適化されると仮定すると、これは、ＬＳユーザにとって達成可能な最も効率的なビーコンパターンである。すなわち、各周波数での０乃至９５の各ウェイクオフセットが１回だけカバーされる。ＬＳユーザにとっての最悪時発見時間は、８＊ＴＤＴ，ｗｏｒｓｔであることができる。
【００８１】
さらに、ＤＯ周期的モードは、９６ＣＣサイクルよりも短いウェイクアップ期間の間拡張することもできる。１２ＣＣサイクル未満のすべてのウェイクアップ期間は、単一のＤＯビーコンパターンで自動的にカバーされる。１２ＣＣサイクルよりも長いその他の可能なウェイクアップ期間は、１２の２番目及び４番目の倍数である２４、４８である。１のビーコン設計の場合は、２４ＣＣサイクル及び４８ＣＣサイクルのウェイクアップのモバイルに関する最悪時発見時間は、２＊ＴＤＴ，ｗｏｒｓｔ及び４＊ＴＤＴ，ｗｏｒｓｔであることができる。
【００８２】
設計上の要求を導き出すための代替方法は、ＬＳユーザに関する（又は２４又は４８ＣＣサイクルのウェイクアップ期間に関する）最悪時発見時間を代わりに定義することである。これをＴＤＴ，ＬＳとする。ゆえに、ＴＤＴは、ＴＤＴ＝ＴＤＴ，ＬＳ／８として導き出すことができる。
【００８３】
ＤＯビーコンパターンが、２つの連続する送信間にギャップが存在するようなパターンである場合は、１ｘＲＴＴビーコンは、このギャップ中に送信することができる。ハードウェアが１ｘＲＴＴビーコン及びＤＯビーコンの同時送信を可能にする場合は、１ｘＲＴＴ及びＤＯは同時並行して送信することができ及び独立して動作することができるため１ｘＲＴＴ及びＤＯに関する発見時間を向上させることができる。ＤＯビーコンは、上述されるように設計し、ＴＤＯ，ｆａｓｔ＝ＴＤＴ，ｗｏｒｓｔに設定することができる。１ｘＲＴＴビーコン設計は、ＴＤＯ，ｆａｓｔ＝０を使用することができる。
【００８４】
ＤＯオポチュニスティックモード
周期的モードに加えて、ＤＯビーコンは、ＤＯモバイルの発見時間特性を向上させるためにオポチュニスティックモードで送信することもできる。オポチュニスティックモードでは、ビーコンは、フェムトセルでの１ｘＲＴＴユーザ登録によってトリガすることができ、及び、１ｘＲＴＴビーコン送信よりも高い送信優先度を与えることができる。オポチュニスティックモードは、ａ）通常オポチュニスティックモード又はｂ）拡張オポチュニスティックモードで送信することができる。通常オポチュニスティックモードは、より短期の継続時間の間送信することができ及びほぼ５．１２秒ごとにウェイクアップするユーザを捕捉することを意図することができる。拡張オポチュニスティックモードは、より長い継続時間の間送信することができ及びほぼ４０．９６秒ごとにウェイクアップするユーザを捕捉することを意図することができる。通常又は拡張オポチュニスティックがトリガされるレートは、ＤＯマクロネットワークへの干渉及び１ｘＲＴＴビーコン発見性能に対する影響を制限するためにタイマを用いて制御することができる。拡張オポチュニスティックビーコン送信のためのパターンは、通常オポチュニスティックビーコンと同じであることができるが、拡張オポチュニスティックパターンは、ＬＳユーザの発見を確実にするためにより長時間送信することができる。
【００８５】
ＤＯビーコンをトリガするためのＷＩＰＯ  Ｐｕｂｌｉｃａｔｉｏｎ  Ｎｏ．ＷＯ２０１０／０２５３４８  Ａ１において記述されるオポチュニスティックビーコンと比較して、同じでない数の１ｘＲＴＴユーザ及びＤＯユーザが存在する場合は、本設計は幾つかの利点を提供する。第１に、この提案される設計は、層化スケジューリング方式を提供し、短い集中された周期的バーストと通常オポチュニスティックビーコンの組み合わせが、定常的なウェイクアップのユーザ（すなわち、５．１２秒ごとにウェイクアップするユーザ）のための発見を確実にする。従って、長期スリープユーザも、デフォルトの周期的ビーコンがこれらのユーザも同様にカバーするようにすることで及び未決ユーザのために拡張オポチュニスティックビーコンを送信することによって発見を効率的に保証することができる。比較して、既述したＷＩＰＯ  ｐｕｂｌｉｃａｔｉｏｎにおけるビーコンスケジュールは、ＣＣサイクルに関する固定されたタイムラインには従わず、さらに、層化スケジューリング構造を有さないため、長期スリープユーザをカバーするためには特定の周波数で４０秒間連続してビーコンを送信する必要がある。これは、マクロネットワークに対して有意な影響を及ぼすことになる可能性がある。
【００８６】
本設計によって提供することができる他の利点は、該当するパラメータを調整することによってデフォルトの周期的モードビーコン及びオポチュニスティックビーコンに関して異なる発見時間を目標にすることができることである。さらに、本設計は、示された出版物において行われているように、いずれの１ｘＲＴＴユーザ及びいずれのＤＯユーザが現在登録されており及びフェムトセル上に物理的に存在するかを追跡するための登録テーブルを要求しないため計算的により効率的であることができる。該維持は、１ｘＲＴＴユーザ及びＤＯユーザに対して定期的な登録も要求し、それは、シグナリング負荷に結びつく。その代わりに、本設計は、最後の通常オポチュニスティックビーコン又は拡張オポチュニスティックビーコン以降の１ｘＲＴＴ登録を追跡する一時的カウンタを使用する。
【００８７】
１ｘＲＴＴビーコン設計
上述されるように、１ｘＲＴＴビーコン設計は、１ｘＲＴＴ層化ビーコンについて記述した米国特許出願一連番号第１２／５４２，２９４号において記述されるとおりであることができる。１ｘＲＴＴビーコンに関する幾つかのその他の設計が以下の節で説明される。
【００８８】
１ｘＲＴＴ例１：幾つかのモバイルエンティティは、ビーコンへのアイドルハンドオフを行うために１ｘＲＴＴビーコンが良好な信号強度で２回以上検出されることを要求することがある。例えば、Ｎの連続するページングチャネルスロット又はページングチャネルスロットサイクル（すなわち、連続するウェイクアップ）にわたる検出が要求されることがある。該装置にサービスを提供するためには、１ｘＲＴＴビーコンを、必要に応じて、Ｎの連続するスロット又はスロットサイクルにわたって送信することができる。これは、全体的なビーコン発見（すなわち、検出）時間を増大させるが、良好な発見性能を保証する。モバイルが２回の連続するウェイクアップにおいてビーコンを検出するような形でそれらが送信される送信パターンを決定するためのアルゴリズムの一例が以下において説明される。
【００８９】
次の説明では、'Ｓ'は、例えば、ページングチャネル（ＰＣＨ）スロット数、例えば、５．１２秒のウェイクアップに対応する６４スロット、で表されるＰＣＨスロットサイクル長を表す。記号'Ｎ１ｘ'は、１ｘＲＴＴビーコン周波数の数を表す。基地局は、ラウンドロビン方式で各周波数においてビーコンを送信することができ、ドウェル時間（ｄｗｅｌｌ  ｔｉｍｅ）（ビーコン送信継続時間（ＢＴＤ）とも呼ばれる）＝［２＊Ｓ＋Ｄｅｌｔａ］スロットである。ここで、係数２＊Ｓは、ビーコンが２つの連続するスロットサイクルをカバーすることを規定する。周波数切り換え遅延、モバイルでのＰＣＨオーバーヘッドメッセージ復号遅延、又は、アイドル状態のモバイルは典型的にはスロット境界よりもある程度事前にその他のパイロットを探索し始めるためにスロット境界よりもある程度事前に（例えば、ＰＣＨスロット境界の４０ｍｓ前に）送信を開始する必要があること、等の要因を考慮するために追加の'Ｄｅｌｔａ'送信スロットを使用することができる。従って、総送信継続時間はＢＴＤであるが、有用な継続時間（すなわち、アイドルハンドオフを実際にトリガするビーコン送信）はＢＴＤよりも小さいことができる。この非効率性は、単なる２＊Ｓスロットの送信ではなく追加の'Ｄｅｌｔａ'送信スロットによって補償される。
【００９０】
上記のアルゴリズムは、いずれかの周波数でのいずれかのＰＣＨスロットにおいてウェイクアップしているモバイルがビーコンを検出し、Ｎ１ｘ＊［２＊Ｓ＋Ｄｅｌｔａ］ＰＣＨスロットの最大遅延でそれへのアイドルハンドオフを実施するのを保証することができる。例えば、Ｓ＝６４ＰＣＨスロット（すなわち、５．１２秒のウェイクアップ）、Ｎ１ｘ＝４、Ｄｅｌｔａ＝４ＰＣＨスロットである場合は、最悪時ビーコン発見時間は、５２８ＰＣＨスロット（すなわち、４２．２４秒）である。量Ｎ１ｘ＊［２＊Ｓ＋Ｄｅｌｔａ］は、ビーコン波形の全周期であるとみなすことができる。全周波数がラウンドロビン方式でホッピングされた時点で、ビーコン送信は開始周波数から再開させることができ、従って、サイクルは、Ｎ１ｘ＊［２＊Ｓ＋Ｄｅｌｔａ］ＰＣＨスロットの周期性を持って繰り返すことができる。
【００９１】
さらに、上記の設計は、特許出願一連番号第１２／５４２，２９４号において開示されたアルゴリズムの要素と組み合わせることができる。例えば、ビーコンは、ビーコンの発見とビーコン送信によって生み出される干渉との間での良好なトレードオフ（引き換え）を提供するために低電力レベル及び高電力レベルで送信することができる。例えば、ビーコンは、上記の波形のＮ番目のサイクルごとに高電力で送信することができる。
【００９２】
１ｘＲＴＴ例２：モバイルエンティティがビーコンへのアイドルハンドオフを実施するために２つの連続するウェイクアップサイクルにおいてビーコンが検出されるように要求しない場合は、”例１”において提供されるアルゴリズムは、ＢＴＤ＝（Ｓ＋Ｄｅｌｔａ）スロットを選択することによって修正することができる。これは、Ｎ１ｘ＊［Ｓ＋Ｄｅｌｔａ］ＰＣＨスロットの最悪時ビーコン発見時間を提供する。
【００９３】
１ｘＲＴＴ例３：１ｘＲＴＴ例１及び２において説明される設計は、ＢＴＤ＞Ｓであると仮定している。しばしばであるが、ビーコン干渉を最小にするために短いＢＴＤが望まれる。該事例では、基地局は、ラウンドロビン方式でＮ１ｘの周波数でビーコンを送信することができ、各周波数においてＢＴＤのドウェル時間を有する。基地局は、Ｔｓｅｍｉ−ｐｅｒｉｏｄ＝ＢＴＤ＊Ｎ１ｘ（ＰＣＨスロット）をこのホッピング波形の周期として設定することができる。波形は、長さがＳ  ＰＣＨスロットのスロットサイクル内の全スロットをビーコン送信で確実にカバーできるようにするために次のサイクルにおいて１ｘＲＴＴビーコンが前サイクル内のＰＣＨスロット以外のそれらで送信されるようにパターンが構成されている場合に繰り返すことができる。従って、ビーコン波形の連続するサイクルは、適切にスタガリング（ｓｔａｇｇｅｒｉｎｇ）されるべきである。
【００９４】
基地局は、該スタガリングを次のように達成することができる。異なる周波数でビーコンを送信後に、基地局は、Ｔｓｅｍｉ−ｐｅｒｉｏｄ＝（ＢＴＤ＊Ｎ１ｘ＋Ｔｄｅａｄ１）がＳの倍数であるようにするためにここでは"Ｔｄｅａｄ１"スロットで表されるデッドタイム（送信なし）を挿入することができる。次に、基地局は、Ｔｐｅｒｉｏｄ＝（ＢＴＤ＊Ｎ１ｘ＋Ｔｄｅａｄ１＋Ｔｄｅａｄ２）であるように追加のデッドタイムＴｄｅａｄ２＝ＢＴＤスロットを導入することができる。従って、Ｔｓｅｍｉ−ｐｅｒｉｏｄスロットに関してラウンドロビン方式で送信し及び該当するデッドタイムを挿入後は、基地局は、ビーコン波形を繰り返すことができる。その結果得られた全体的な周期性がＴｐｅｒｉｏｄであることができる。ＢＴＤ及びデッドタイムを適切に選択することで幾つかの該波形が可能である。概して、この方法でデッドタイムを挿入しても、わずかな発見時間も提供しないであろう。
【００９５】
１ｘＲＴＴ  ＰＣＨシグナリング：ビーコンの物理的送信をスケジューリングすることに加えて、効率的なリダイレクションを可能にするために各ビーコンバースト内のＰＣＨシグナリングメッセージの適切なスケジューリングを使用することができる。ＰＣＨシグナリングメッセージスケジューリングに関しては、基地局は、次のアルゴリズムを使用することができる。
【００９６】
・通常のフェムトセルのＰＣＨチャネルとは対照的に、基地局は、ビーコンのＰＣＨチャネルでのリダイレクションのために不可欠なメッセージをビーコンバースト内に効率的にパッキングするのを達成するためにそれらのメッセージのみを送信することができる。典型的には、ＰＣＨチャネルは、幾つかのメッセージを搬送するが、フェムトセル周波数にモバイルをリダイレクションするためにそれらのすべてが必要なわけではない。例えば、ネイバーリストメッセージ（Ｎｅｉｇｈｂｏｒ  Ｌｉｓｔ  Ｍｅｓｓａｇｅ）は、送信されるべきでなく、又は空のフィールド状態で送信されるべきである。
【００９７】
・基地局は、各ＰＣＨスロットのビットがすべて完全に利用されるようにする一方で、すべての不可欠なメッセージ（例えば、Ｍ１、Ｍ２、．．．、Ｍｘ）を送信するために要求されるＰＣＨスロットの数を決定することができる。例えば、この数をＮｐｃｈ−ｍｓｇｓ−ｓｌｏｔｓとする。典型的には、Ｎｐｃｈ−ｍｓｇｓ−ｓｌｏｔｓ＝１又は２である。
【００９８】
・Ｎｐｃｈ−ｍｓｇｓ−ｓｌｏｔｓ＝１である（全メッセージが１つのスロット内に納まっている）場合は、基地局は、ＢＴＤ内にスロットの各々の中の全メッセージを単に送信するだけであることができる。
【００９９】
・Ｎｐｃｈ−ｍｓｇｓ−ｓｌｏｔｓ＝２である（例えば、５つのメッセージのうちで、Ｍ１乃至Ｍ３が１つのＰＣＨスロット内に納まり、Ｍ４及びＭ５がその他のＰＣＨスロット内に納まる）場合は、基地局は、２つのＰＣＨスロットのブロックですべてのこれらのメッセージを送信する、すなわち、奇数スロットごとにＭ１乃至３を及び偶数スロットごとにＭ４及びＭ５を送信することができる。
【０１００】
ＰＣＨシグナリングに関するその他のスケジューリング戦略も適切であることが明確なはずである。
【０１０１】
"欲張り"（ｇｒｅｅｄｙ）アルゴリズム：概して、いずれかの任意のＢＴＤ及び周波数の数に関して解析的にビーコン波形を設計することは、扱いやすい問題ではなく、ビーコン発見時間の点で最適でない波形が生じてしまうことがある。代替として、ビーコン波形は、幾つかの以前にカバーされていないスロットをカバーするためにすべての可能な送信機会を利用することを試みる"欲張り"アルゴリズムに基づいてコンピュータサーチを用いて設計することができる。これは、デッドタイムの挿入を低減させ、従って、性能を向上させることができる。該"欲張り"アルゴリズムに関する概要が以下において提供される。以下の例の目的上、モバイルは、ビーコンを送信中の基地局へのハンドオフを実施するために１つのスロットサイクルのみでビーコンを検出する必要がある。
【０１０２】
"欲張り"アルゴリズムの例では以下の記号が使用される。
【０１０３】
・Ｎ１ｘ＝１ｘＲＴＴビーコン周波数の数
・Ｕ＝ビーコンバーストが特定の周波数で送信されるときのＢＴＤスロットのうちの有用なスロットの数。（前述されるように、ＢＴＤ内のすべてのスロットがアイドルＨＯをトリガする上で有用であることができるわけではない）。
【０１０４】
・Ｓ＝ページングスロットサイクル内のスロット数
・ｔｓ＝ＰＣＨスロットインデックス；０＜ｔｓ＜（Ｓ−１）
・ｔ＝ＰＣＨスロットを単位とする時間；ｔｓ＝ｔ  ｍｏｄｕｌｏ  Ｓ
・Ｍ＝サイズ（Ｓ×Ｎｆｒｅｑ）の行列。この行列は、特定の周波数でビーコンによって既にカバーされているスロットを追跡するために使用することができる（列インデックスが周波数インデックスである）。例えば、Ｍにおける（ｉ，ｊ）番目のエントリ＝１である場合は、これは、ｊ番目の周波数におけるｉ番目のスロットが前のビーコン送信によって既にカバーされていることを示すことができる。
【０１０５】
ビーコンバーストを送信しなければならないいずれかの所定の時点において、アルゴリズムは、ある周波数でのビーコン送信の結果その他の周波数と比較して最大数のスロットをカバーすることになるような同周波数を見つける。ビーコンパターンを生成するために次のステップを実施することができる。
【０１０６】
１．ビーコンバーストを送信しなければならない（時間ｔからｔ＋ＢＴＤ−１までの）次のＢＴＤ  ＰＣＨスロットから成る組Ｓｔｅｍｐを決定する。
【０１０７】
２．スロットＵｔｅｍｐ＝次のＢＴＤスロットでのビーコン送信によって成功裏にカバーすることができる、Ｓｔｅｍｐの中のスロットＵｔｅｍｐ＝｛ｔ１ｓ，ｔ２ｓ，．．．，ｔＵｓ｝（すなわち、有用なスロット）を決定する。
【０１０８】
３．各周波数Ｆｉ（ｉ＝１，２，．．．，Ｎｆｒｅｑ）に関して、Ｗｉ＝それまでに成功裏にカバーされていない組Ｕｔｅｍｐに属するスロット数、すなわち、周波数Ｆｉに関する行列Ｍ内のエントリ及び１に等しくないスロットＵｔｅｍｐ、を決定する。Ｗｉは、基本的には、周波数Ｆｉでビーコンを送信する効用係数を表す。
【０１０９】
４．Ｗｍａｘ＝すべての‘１’及び対応する‘１’に関するｍａｘ（Ｗｉ）をｉｍａｘとする。Ｗｍａｘ＝０、すなわち、すべてのスロットが既にカバーされている、場合は、ステップ８に行く。そうでない場合は、ステップ５に行く。
【０１１０】
５．次のＢＴＤスロットでのビーコン送信の周波数をＦｉｍａｘとして設定する。Ｆｉｍａｘ及びスロットＵｔｅｍｐに対応する行列Ｍ内のエントリを１に設定する。
【０１１１】
６．行列Ｍからの全周波数でカバーされたスロット数を決定する。すべての周波数ですべてのＳスロットがカバーされている場合は、ステップ８に行く。そうでない場合は、次のＢＴＤスロットに関するビーコン送信の周波数を決定するためにｔ＝ｔ＋ＢＴＤに設定することによってステップ１からの手順を継続する。
【０１１２】
７．Ｕｔｅｍｐ内のすべてのスロットが既にカバーされている場合は、Ｕのスロットによってビーコン送信をスタガリングする。すなわち、ｔ＝ｔ＋Ｕに設定してステップ１から継続する。
【０１１３】
８．終了する。
【０１１４】
上記手順は、所定のスロットでビーコンが送信されるべきである周波数を提供するために使用することができる。
【０１１５】
モバイルＡＴが２つの連続するウェイクアップサイクルで１ｘＲＴＴビーコンが検出されるように要求する場合は、上記のアルゴリズムは、これを考慮して波形を設計するように修正することができる。例えば、周波数Ｆｉで（例えば、ｔからｔ＋ＢＴＤ−１までに）送信されたすべてのビーコンバーストに関して、次のスロットサイクル（ｔ＋Ｓからｔ＋Ｓ＋ＢＴＤ−１まで）において対応するスロットも、同じ周波数Ｆｉでビーコンを送信させるべきである。これを考慮に入れ及び周波数衝突を回避することによって、ビーコン波形全体を得ることができる。
【０１１６】
さらなる１ｘＲＴＴ例及びＤＯ例
ここにおいて示されて説明される典型的なシステムに鑑みて、開示される主題に準じて実装することができる方法は、様々なフローチャートを参照することでより良く評価されるであろう。これらの方法はすべて、ここの別の場所でより詳細に説明されるコンポーネントを用いて、無線通信システムの基地局又はその他のアクセスポイントによって実施することができる。１ｘＲＴＴ発見ビーコン及びＤＯ発見ビーコンの送信を制御するためにこれらの方法のうちのいずれも使用することができるが、それらは、その他の送信プロトコルを使用するシステム内でのビーコン送信を制御するために使用することもできる。説明を単純化する目的上、方法は、一連の行為／ブロックとして示されて説明されるが、幾つかのブロックは、ここにおいて描かれて説明されるのとは異なる順序で及び／又はその他のブロックと実質的に同時に生じることができるため、請求される主題は、ブロックの数又は順序によっては制限されないことが理解及び評価されるべきである。さらに、ここにおいて説明される方法を実装するためにすべての例示されるブロックが要求されるわけではない。ブロックと関連付けられた機能は、ソフトウェア、ハードウェア、それらの組み合わせ又はその他のあらゆる適切な手段（例えば、デバイス、システム、プロセス、又はコンポーネント）によって実装することができることが評価されるべきである。さらに、本明細書全体を通じて開示される方法は、該方法を様々なデバイスに移送及び転送するのを容易にするための製造品、例えば、非一時的なコンピュータによって読み取り可能な媒体、に格納することが可能であることがさらに評価されるべきである。当業者は、方法は、代替として、例えば、状態図内において、一連の相互に関連する状態又はイベントとして表すことが可能であることを理解及び評価するであろう。
【０１１７】
図７に示される方法７００は、目標とされる発見時間'Ｔ'を達成するために無線通信システムの基地局よるＤＯ無線送信のための周期的ＥＶ−ＤＯビーコンの送信を制御するために使用することができ、図８Ａ及び８Ａは、図７の方法のさらなる態様８００を示す。方法７００は、モバイルアクセス端末に送信するための無線通信装置、例えば、ＨＮＢ又はフェムト基地局、において実施することができる。方法７００は、７１０において、基地局によってサービスが提供されるアクセス端末に関するスリープサイクル数を表すゼロでない正の整数である数字'Ｎ'を決定することを含むことができる。例えば、ＨＮＢは、ローカルメモリに格納された又は他のシステムエンティティによって提供された数字Ｎを呼び出すか又は処理することができる。方法７００は、７２０において、Ｎ及び周期性'Ｐ'が制御チャネルサイクル数で表されるＴよりも小さい最小公倍数を有するようなゼロでないＰを決定することをさらに備えることができる。例えば、ＨＮＢは、ローカルメモリに格納された又は他のシステムエンティティによって提供された数字Ｎを呼び出すか又は処理することができ、又は、格納されたアルゴリズムを用いてＰを計算することができる。方法７００は、７３０において、システム制御チャネルサイクルと同期化された信号のバーストにおいて一定の間隔で配置されたデータオプティマイズド（ＤＯ）ビーコンを周期的に送信することをさらに備え、各々のバースト内の１つ以上の無線周波数の各々での信号は、アクセス端末に関して周期性Ｐを有し及び各々の可能な制御チャネルオフセットをカバーするパターンによって決定される。各バーストは、例えば、図５の５１０に示されるように、１つ以上の周波数での信号のシーケンスを含むことができ、２つの周波数（Ｆ１ＤＯ及びＦ２ＤＯ）の信号から成る３０秒のＤＯバースト、及び、各々の周波数の１２の信号が示される。周期性Ｐは、ＤＯバースト内の２つの信号（各周波数において１つ）から成る基本パターン、例えば、図５の５１０において例示される各周波数の１２の信号、に対して適用される。パターンは、例えば、Ｎ＝１２のスリープサイクル継続時間に対応するすべての１２ＣＣサイクルオフセットをカバーするために１２回繰り返すことができる。一定の間隔は、連続するＤＯバースト間、例えば、図６に示されるように、連続するバースト６１０（ＴＤＴ，ｗｏｒｓｔ）間、の間隔を意味する。ＨＮＢは、例えば、定義された送信チェーン及び送信機を用いてバーストを送信することができる。周期的ＥＶ−ＤＯビーコンの送信の制御に関するさらなる詳細及び変形が以下において図８Ａ及び８Ｂと関係させて開示される。
【０１１８】
図８を参照し、周期的ＥＶ−ＤＯビーコンの送信を制御するための幾つかの動作８００が描かれ、それらは、互いの代替として又は動作可能な形で組み合わせて実施することができる。一実施形態では、周期的ＥＶ−ＤＯビーコンの送信を制御することは、８１０において、Ｐ及びＮの最小公倍数（ＬＣＭ）よりも小さくない一定の間隔でバーストのうちの連続するそれらを送信することを含むことができる。すなわち、各々の信号バースト間の各間隔は、ＬＣＭ（Ｐ，Ｎ）よりも小さくない（すなわち、等しいか又はより大きい）値に設定することができる。代替においては、又はさらなる追加で、ＤＯビーコンの送信を制御することは、８２０において、制御チャネルサイクル数の点でＬ×Ｎに等しいＰ及びＮの最小公倍数よりも大きい一定の間隔で配置されたバーストのうちの連続するそれらを送信することを含むことができ、ここで、Ｌは、Ｍ／Ｎと互いに素の整数であり、Ｍは、Ｎよりも大きく、及び、長期スリープサイクルを使用するアクセス端末のうちのそれらに関するスリープサイクル継続時間に対応する。すなわち、各々の信号バースト間の各間隔は、前文において記述されたアルゴリズムを用いて計算された値に設定することができる。従って、方法は、記述されたアルゴリズムを用いて該値を計算することを含むことができる。代替においては、又はさらなる追加で、ＤＯビーコンの送信を制御することは、８３０において、システム制御チャネルサイクルでの各周波数に関する単一の送信を備えるパターンを用いてビーコンを送信することを含むことができ、Ｎ及びＰの最大公約数は、１に等しい。これは、Ｎ及びＰが互いに素、例えば、それぞれ１２及び５、であるか、又は何らかのその他の互いに素の対である特別な事例において実施することができる。代替においては、又はさらなる追加で、ＤＯビーコンの送信を制御することは、８４０において、２つの連続する制御チャネルサイクルでの送信を備えるパターンを用いてビーコンを送信することを含むことができる。これは、例えば、モバイルＡＴがリダイレクションのために２つの連続するＣＣサイクルでの送信を要求するときに該当することができる。
【０１１９】
図８Ｂ及び８Ｃは、図８Ａに示される要素に加えてあらゆる動作可能な順序で実施することができる追加の動作を描く。これらの追加の動作のうちの１つ以上は、方法８００の一部として任意選択で実施することができる。図８Ｂ及びＣに示される要素は、あらゆる動作可能な順序で実施することができ、又は、特定の時系列的な実施順序を要求せずに開発アルゴリズムによって包含することができる。動作は、独立して実施され、相互に排他的でない。従って、該動作のうちのいずれの１つも、他のダウンストリーム又はアップストリーム動作が実施されるかどうかにかかわらず実施することができる。例えば、方法８００がこれらの動作のうちの少なくとも１つを含む場合は、方法８００は、例示することができる連続するダウンストリーム動作を必ずしも含む必要なしに、その少なくとも１つの動作後に終了することができる。
【０１２０】
一実施形態では、今度は図８Ｂを参照し、ＤＯビーコンの送信を制御することは、８５０において示されるように、ＤＯビーコンとして構成された信号のバースト間に１ｘＲＴＴ無線送信のための１ｘＲＴＴビーコンとして構成された信号の追加のバーストを送信することを含むことができる。これは１ｘＲＴＴ及びＤＯの両方に関するタイムシェアリングされたビーコンの場合の事例である。該事例では、ＤＯビーコンの送信を制御することは、ステップ８６０において、一定の間隔のうちの１つマイナスＤＯビーコンにおける各信号バーストの継続時間（ＴＤＯ，ｆａｓｔ）よりも大きくないＮの数のスリープサイクル数を有するアクセス端末のシステムに関して最悪時発見時間（ＴＤＴ，ｗｏｒｓｔ）を有するように信号の追加のバーストをパターン化することをさらに含むことができる。より詳細な例が上において提供されている。
【０１２１】
図８Ｃを参照し、代替においては、又はさらなる追加で、周期的ＥＶ−ＤＯビーコンの送信を制御することは、８７０において、数値増分レジスタ値がゼロでない数の未決のＤＯ登録を示すことに応答して、１ｘＲＴＴ無線送信に関してユーザ登録を完了させることによってトリガされたＤＯビーコンを送信することを含むことができる。換言すると、オポチュニスティックＤＯビーコンは、ビーコンをトリガするための特別なレジスタを用いて、方法７００の周期的モードＤＯビーコンと組み合わせることができる。この事例では、追加動作８００は、８８０において、１ｘＲＴＴユーザ登録を完了させる及びＤＯユーザ登録を完了させる各々の異なるイベントに対応する量をオフセットする際にレジスタ値を増分又は減分することによって未決のＤＯ登録の数を追跡するためにレジスタを使用することをさらに含むことができる。従って、オポチュニスティックＤＯビーコン送信は、レジスタ値が該当する期間内において等しくない数の１ｘＲＴＴ登録及びＤＯ登録を示すときにＨＮＢによってトリガすることができる。
【０１２２】
図９を参照し、無線ネットワーク内のＨＮＢ又は基地局として、又はノードＢ又は基地局内での使用のためのプロセッサ又は同様のデバイスとして構成することができる典型的な装置９００が提供され、目標発見時間'Ｔ'を達成するために無線通信システムの基地局からのＤＯ無線送信のための周期的ＤＯビーコンの送信を制御する。装置９００は、プロセッサ、ソフトウェア、又はそれらの組み合わせ（例えば、ファームウェア）によって実装された機能を表すことができる機能ブロックを含むことができる。
【０１２３】
例示されるように、一実施形態では、装置９００は、基地局によってサービスが提供されるアクセス端末に関するゼロでない整数のスリープサイクル数を表すゼロでない正の整数である数字'Ｎ'を決定するための電気的コンポーネント又はモジュール９０２を含むことができる。例えば、電気的コンポーネント９０２は、メモリコンポーネントに結合された少なくとも１つの制御プロセッサを含むことができる。電気的コンポーネント９０２は、基地局によってサービスが提供されるアクセス端末に関するゼロでない整数のスリープサイクル数を表すゼロでない正の整数である数字'Ｎ'を決定するための手段であることができ、又は基地局によってサービスが提供されるアクセス端末に関するスリープサイクル数を表すゼロでない正の整数である数字'Ｎ'を決定するための手段を含むことができる。該手段は、アルゴリズムを動作させる少なくとも１つの制御プロセッサを含むことができる。アルゴリズムは、例えば、'Ｎ'を表す数値をメモリから取り出すこと、適用可能な送信プロトコルのための特性値に基づいて'Ｎ'を選択すること、適用可能な送信プロトコルのための'Ｎ'に関してネットワークエンティティに問い合わせること、又は前記の何らかの組み合わせを含むことができる。
【０１２４】
装置９００は、Ｎ及び周期性'Ｐ'が制御チャネルサイクル数で表されるＴよりも小さい最小公倍数を有するようなゼロでないＰを決定するための電気的コンポーネント９０４を含むことができる。例えば、電気的コンポーネント９０４は、メモリ及び／又はネットワークインタフェースに結合された少なくとも１つの制御プロセッサを含むことができる。電気的コンポーネント９０４は、Ｎ及びＰが制御チャネルサイクル数で表されるＴよりも小さい最小公倍数を有するような周期性'Ｐ'を決定するための手段であることができ、又は、Ｎ及びＰが制御チャネルサイクル数で表されるＴよりも小さい最小公倍数を有するような周期性'Ｐ'を決定するための手段を含むことができる。該手段は、アルゴリズムを動作させる少なくとも１つの制御プロセッサを含むことができる。アルゴリズムは、例えば、Ｔを表す数値をメモリから取り出すことであって、ＴはＮよりも大きいことと、Ｔよりも小さいＮのすべての整数倍数を決定することと、それらの整数倍数のうちの１つの選択されたそれがＮによって除された値に等しいＰを設定することと、を含むことができる。
【０１２５】
装置９００は、システム制御チャネルサイクルと同期化された信号のバーストにおいて一定の間隔で配置されたデータオプティマイズド（ＤＯ）ビーコンを周期的に送信するための電気的コンポーネント９０６を含むことができ、各々のバーストにおける１つ以上の無線周波数の各々での信号は、アクセス端末に関して周期性Ｐを有し及び各々の可能な制御チャネルオフセットをカバーするパターンによって決定される。例えば、電気的コンポーネント９０６は、メモリ及び無線送信機、等に結合された少なくとも１つの制御プロセッサを含むことができる。電気的コンポーネント９０６は、システム制御チャネルサイクルと同期化された信号のバーストにおいて一定の間隔で配置されたＤＯビーコンを周期的に送信するための手段であることができ、又は、システム制御チャネルサイクルと同期化された信号のバーストにおいて一定の間隔で配置されたＤＯビーコンを周期的に送信するための手段を含むことができ、各々のバーストにおける１つ以上の無線周波数の各々での信号は、アクセス端末に関して周期性Ｐを有し及び各々の可能な制御チャネルオフセットをカバーするパターンによって決定される。該手段は、アルゴリズムを動作させる少なくとも１つの制御プロセッサを含むことができる。アルゴリズムは、例えば、信号バースト内のビーコン送信信号をシステム制御チャネルサイクルに同期化することと、各々の可能な制御チャネルオフセットをカバーするための及びＰに等しい周期性を有する各信号パターンをバースト内で生成することと、を含むことができる。装置９００は、図８Ａ乃至Ｃと関係させて説明されるいずれかの又はすべての追加の動作８００を実施するための同様の電気的コンポーネントを含むことができ、それらは、図を簡略化することを目的として図９には示されていない。
【０１２６】
関連する態様では、装置９００は、装置９００が無線通信システムのためのネットワークエンティティ、例えば、アクセスポイント、として構成される場合は、少なくとも１つのプロセッサを有するプロセッサコンポーネント９１０を任意選択で含むことができる。プロセッサ９００は、該事例においては、バス９１２又は同様の通信カップリングを介してコンポーネント９０２乃至９０６又は同様のコンポーネントと動作可能な形で通信することができる。プロセッサ９１０は、電気的コンポーネント９０２乃至９０６によって実行されるプロセス又は機能の開始及びスケジューリングを行うことができる。
【０１２７】
さらなる関連された態様では、装置９００は、無線トランシーバコンポーネント９１４を含むことができる。独立型受信機及び／又は独立型送信機をトランシーバ９１４の代わりに又はトランシーバ９１４と連繋させて使用することができる。装置９００は、情報を格納するためのコンポーネント、例えば、メモリデバイス／コンポーネント９１６、を任意選択で含むことができる。コンピュータによって読み取り可能な媒体又はメモリコンポーネント９１６は、バス９１２、等を介して装置９００のその他のコンポーネントに動作可能な形で結合することができる。メモリコンポーネント９１６は、コンポーネント９０２乃至９０６、及びそれらのサブコンポーネント、又はプロセッサ９１０、又はここにおいて開示される方法、のプロセス及び動作を実行するためのコンピュータによって読み取り可能な命令及びデータを格納するように好適化することができる。メモリコンポーネント９１６は、コンポーネント９０２乃至９０６と関連付けられた機能を実行するための命令を保持することができる。コンポーネント９０２乃至９０６は、メモリ９１６の外部のコンポーネントとして示されているが、それらは、メモリ９１６内に存在することができることが理解されるべきである。
【０１２８】
図１０Ａに示される方法１０００は、無線通信システムの基地局からのＤＯ無線送信のためのオポチュニスティックＥＶ−ＤＯビーコンの送信を制御するために使用することができ、図１０Ｂは、図１０Ａの方法のさらなる態様を示す。方法１０００は、モバイルアクセス端末に送信するための無線通信装置、例えば、ＨＮＢ又はフェムト基地局、において実施することができる。方法１０００は、１０１０において、基地局メモリ内の未決のＤＯ登録の数を示す数値カウンタを維持することを含むことができる。例えば、ＨＮＢは、登録入力に応答してローカルメモリに格納されたカウンタを呼び出す又は処理することができる。方法１０００は、１０２０において、数値カウンタが少なくとも１つの未決のＤＯ登録を示すときに基地局において１ｘＲＴＴ無線送信に関してユーザ登録を完了させることに応答してＤＯビーコン送信の開始をトリガすることをさらに含むことができる。基地局は、１ｘＲＴＴ又はその他のサービスに関して基地局に登録している現在登録されているユーザ又はアクセス端末を追跡するいずれかのリスト又はその他のデータ構造を維持するのを回避することができる。その代わりに、基地局は、１ｘＲＴＴ登録を完了時に数値カウンタ値のみに応答してＤＯビーコン送信の開始をトリガすることができる。従って、基地局は、ＤＯビーコン送信を制御するために基地局メモリ内の１ｘＲＴＴ登録レコードを維持及び使用することに関連する管理上のオーバーヘッドを回避することができる。オポチュニスティックＥＶ−ＤＯビーコンの送信を制御することに関するさらなる詳細及び変形が以下において図１０Ｂと関係させて説明される。
【０１２９】
図１０Ｂを参照し、オポチュニスティックＥＶ−ＤＯビーコンの送信を制御するための幾つかの動作が描かれ、それらは、互いの代替として又は動作可能な形で組み合わせて実施することができる。これらの動作のうちの１つ以上は、方法１０００の一部として任意選択で実施することができる。図１０Ｂに示される要素は、あらゆる動作可能な順序で実施することができ、又は特定の時系列的な実施順序を要求せずに開発アルゴリズムによって包含することができる。動作は、独立して実施され、相互に排他的でない。従って、該動作のうちのいずれの１つも、他のダウンストリーム又はアップストリーム動作が実施されるかどうかにかかわらず実施することができる。例えば、方法１０００がこれらの動作のうちの少なくとも１つを含む場合は、方法１０００は、例示することができる連続するダウンストリーム動作を必ずしも含む必要なしに、その少なくとも１つの動作後に終了することができる。
【０１３０】
一実施形態では、周期的ＥＶ−ＤＯビーコンの送信を制御することは、１０３０において、ＤＯビーコン送信の開始をトリガすることが少なくとも１つのタイマに応答してどのような頻度で実施されるかを制限することを含むことができる。代替においては、又はさらなる追加で、方法１０００は、１０４０において、１ｘＲＴＴユーザ登録を完了させる及びＤＯユーザ登録を完了させる各々の異なるイベントに対応する量をオフセットする際にカウンタを増分又は減分することによって未決のＤＯ登録の数を示すことをさらに含むことができる。代替においては、又はさらなる追加で、方法１０００は、１０５０において、時には第１の継続時間の間ＤＯビーコンを送信することと、その他の時点では、第１の継続時間よりも実質的に長い第２の継続時間の間ＤＯビーコンを送信することと、をさらに含むことができる。代替においては、又はさらなる追加で、数値カウンタ１０１０を維持することは、１０６０において、別個のカウンタを維持することをさらに含むことができ、第１の数値カウンタは、第１の継続時間の間にＤＯビーコンを送信した最後のインスタンス以降に未決のＤＯ登録の数を示し、第２の数値カウンタは、第２の継続時間の間ＤＯビーコンを送信した最後のインスタンス以降の未決のＤＯ登録の数マイナス第１の数値カウンタの現在値を示す。代替においては、又はさらなる追加で、方法１０００は、１０７０において、ＤＯビーコンとして構成された周期的バースト間に１ｘＲＴＴビーコンとして構成された追加のバーストを送信することをさらに含むことができる。
【０１３１】
図１１を参照し、無線ネットワーク内のＨＮＢ又は基地局として、又はノードＢ又は基地局内での使用のためのプロセッサ又は同様のデバイスとして構成することができる典型的な装置１１００が提供され、無線通信システムの基地局からのＤＯ無線送信のためのオポチュニスティックＤＯビーコンの送信を制御する。装置１１００は、プロセッサ、ソフトウェア、又はそれらの組み合わせ（例えば、ファームウェア）によって実装された機能を表すことができる機能ブロックを含むことができる。
【０１３２】
例示されるように、一実施形態では、装置１１００は、基地局メモリ内の未決のＤＯ登録の数を示す数値カウンタを維持するための電気的コンポーネント又はモジュール１１０２を含むことができる。例えば、電気的コンポーネント１１０２は、メモリコンポーネントに結合された少なくとも１つの制御プロセッサを含むことができる。電気的コンポーネント１１０２は、基地局メモリ内の未決のＤＯ登録の数を示す数値カウンタを維持するための手段であることができ、又は、基地局メモリ内の未決のＤＯ登録の数を示す数値カウンタを維持するための手段を含むことができる。該手段は、アルゴリズムを動作させる少なくとも１つの制御プロセッサを含むことができる。アルゴリズムは、例えば、システム初期化時点で又はリセットイベントに応答してカウンタ変数を初期化することと、１ｘＲＴＴユーザ登録を完了させる及びＤＯユーザ登録を完了させる各々の異なるイベントに対応する量をオフセットする際にレジスタ値を増分及び減分することと、を含むことができる。
【０１３３】
装置１１００は、数値カウンタが少なくとも１つの未決のＤＯ登録を示すときに基地局での１×無線送信技術（１ｘＲＴＴ）無線送信に関してユーザ登録を完了させることに応答してＤＯビーコン送信の開始をトリガするための電気的コンポーネント１１０４を含むことができる。例えば、電気的コンポーネント１１０４は、メモリ及び送信機、等に結合された少なくとも１つの制御プロセッサを含むことができる。電気的コンポーネント１１０４は、数値カウンタが少なくとも１つの未決のＤＯ登録を示すときに基地局での１×無線送信技術（１ｘＲＴＴ）無線送信に関してユーザ登録を完了させることに応答してＤＯビーコン送信の開始をトリガするための手段であることができ、又は、数値カウンタが少なくとも１つの未決のＤＯ登録を示すときに基地局での１×無線送信技術（１ｘＲＴＴ）無線送信に関してユーザ登録を完了させることに応答してＤＯビーコン送信の開始をトリガするための手段を含むことができる。該手段は、アルゴリズムを動作させる少なくとも１つの制御プロセッサを含むことができる。アルゴリズムは、例えば、１ｘＲＴＴ登録イベントによってトリガされたｉｆ−ｔｈｅｎ分岐試験又は同様の論理構造を使用することと、数値カウンタの値が基準値（例えば、ゼロ）と異なる場合にＤＯビーコン送信を開始することと、を含むことができる。装置１１００は、図１０Ｂと関係させて説明されるいずれかの又はすべての追加の動作を実施するための同様の電気的コンポーネントを含むことができ、例示の簡略化を目的として図１１には示されていない。
【０１３４】
関連する態様では、装置１１００は、装置１１００がネットワークエンティティとして構成される場合に、少なくとも１つのプロセッサを有するプロセッサコンポーネント１１１０を任意選択で含むことができる。プロセッサ１１１０は、該事例では、バス１１１２又は同様の通信カップリングを介してコンポーネント１１０２乃至１１０４又は同様のコンポーネントと動作可能な形で通信することができる。プロセッサ１１１０は、電気的コンポーネント１１０２乃至１１０４によって実行されるプロセス又は機能の開始及びスケジューリングを実施することができる。
【０１３５】
さらなる関連する態様では、装置１１００は、無線トランシーバコンポーネント１１１４を含むことができる。独立型受信機及び／又は独立型送信機をトランシーバ１１１４の代わりに又はトランシーバ１１１４と連繋させて使用することができる。装置１１００は、情報を格納するためのコンポーネント、例えば、メモリデバイス／コンポーネント１１１６、を任意選択で含むことができる。コンピュータによって読み取り可能な媒体又はメモリコンポーネント１１１６は、バス１１１２、等を介して装置１１００のその他のコンポーネントに動作可能な形で結合することができる。メモリコンポーネント１１１６は、コンポーネント１１０２乃至１１０４、及びそれらのサブコンポーネント、又はプロセッサ１１１０、又はここにおいて開示される方法、のプロセス及び動作を実行するためのコンピュータによって読み取り可能な命令及びデータを格納するように好適化することができる。メモリコンポーネント１１１６は、コンポーネント１１０２乃至１１０４と関連付けられた機能を実行するための命令を保持することができる。コンポーネント１１０２乃至１１０４は、メモリ１１１６の外部のコンポーネントとして示されているが、それらは、メモリ１１１６内に存在することができることが理解されるべきである。
【０１３６】
図１２Ａに示される方法１２００は、"欲張りでない"（ｎｏｎ−ｇｒｅｅｄｙ）アルゴリズムにより無線通信システムの基地局からの１ｘＲＴＴビーコンの送信を制御するために使用することができ、図１２Ｂ−Ｃは、図１２Ａの方法のさらなる態様を示す。方法１２００は、モバイルアクセス端末に送信するための無線通信装置、例えば、ＨＮＢ又はフェムト基地局、で実施することができる。方法１２００は、１２１０において、対応する信号におけるｎの数の１ｘＲＴＴ周波数に関する１ｘＲＴＴ発見バーストを送信することを含むことができ、各々の周波数に関する信号は、繰り返しシーケンスで次々に送信される。方法１２００は、１２２０において、ｂＳ＋Δによって決定された継続時間の間信号の各々を送信することをさらに含むことができ、ここで、'ｂ'は、整数であり、'Ｓ'は、１ｘＲＴＴ受信機をページングするために使用されるすべての１ｘＲＴＴページングスロットの定義された数ＳＡＬＬよりも小さいか又は等しく、'Δ'は、ゼロよりも大きい推定される一定の遅延値である。１ｘＲＴＴビーコンの送信を制御することに関するさらなる詳細及び変形が以下において図１２Ｂ−Ｃと関係させて開示される。
【０１３７】
図１２Ｂ及び１２Ｃを参照し、１ｘＲＴＴビーコンの送信を制御するための幾つかの動作が描かれ、それらは、互いの代替で又はいずれかの動作可能な形での組み合わせで実施することができる。これらの動作のうちの１つ以上は、方法１２００の一部として任意選択で実施することができる。図１２Ｂ−Ｃに示される要素は、あらゆる動作可能な順序で実施することができ、又は、特定の時系列的な実施順序を要求せずに開発アルゴリズムによって包含することができる。動作は、独立して実施され、相互に排他的でない。従って、該動作のうちのいずれの１つも、他のダウンストリーム又はアップストリーム動作が実施されるかどうかにかかわらず実施することができる。例えば、方法１２００がこれらの動作のうちの少なくとも１つを含む場合は、方法１２００は、例示することができる連続するダウンストリーム動作を必ずしも含む必要なしに、その少なくとも１つの動作後に終了することができる。
【０１３８】
図１２Ｂを参照し、一実施形態では、方法１２００は、１２３０において、すべてのｎの周波数に関する信号を備える１ｘＲＴＴバーストを送信することをさらに含むことができ、１ｘＲＴＴバーストの各々は、ｎ（ｂＳ＋Δ）の周期を有する。代替においては、又はさらなる追加で、方法１２００は、１２４０において、ｂＳ＋Δによって決定された継続時間を有する各々の周波数に関する１ｘＲＴＴバーストを送信することをさらに含むことができ、Ｓは、１ｘＲＴＴ受信機をページングするために使用されるすべての１ｘＲＴＴページングスロットの定義された数ＳＡＬＬに等しく、１ｘＲＴＴバーストの各々は、ｎ（ｂＳ＋Δ）の周期を有する。代替においては、又はさらなる追加で、方法１２００は、１２５０において、基地局での周波数切り換え遅延及びアクセス端末でのページングチャネル復号遅延のうちの少なくとも１つを備える予想される遅延の和を補償するためのΔに関する値を定義することをさらに含むことができる。代替においては、又はさらなる追加で、方法１２００は、１２６０において、繰り返しシーケンスのＮ番目のサイクルごとに増大された電力レベルで１ｘＲＴＴビーコンを送信することをさらに含むことができ、Ｎは、１よりも大きい整数である。代替においては、又はさらなる追加で、方法１２００は、１２７０において、１ｘＲＴＴビーコンへのアイドルハンドオフをトリガするために２つよりも多くない連続するウェイクアップサイクルを要求するアクセス端末に対処するために、繰り返しシーケンスの全信号に関して２に等しい整数ｂを選択することをさらに含むことができる。ブロック１２７０の代替では、方法１２００は、１２７５において、１ｘＲＴＴビーコンへのアイドルハンドオフをトリガするために単一よりも多くないウェイクアップサイクルを要求するアクセス端末に対処するために、繰り返しシーケンスの全信号に関して１に等しい整数ｂを選択することをさらに含むことができる。
【０１３９】
図１２Ｃを参照し、１ｘＲＴＴビーコンの送信を制御するための幾つかのさらなる動作が描かれ、それらは、互いの代替で又はいずれかの動作可能な形での組み合わせで実施することができる。一実施形態では、方法１２００は、１２８０において、ｂＳ＋Δによって決定された継続時間を有するすべてのｎの周波数に関して信号を送信することであって、Ｓｂ、及びΔは、（ｂＳ＋Δ）が１ｘＲＴＴ受信機をページングし及びこのホッピングサイクルをＮｆ−ｐｅｒ−ｃｙｃｌｅ回繰り返すために使用される１ｘＲＴＴページングスロットの定義された数ＳＡＬＬよりも小さいようにすることと、次のホッピングサイクルを開始する前にデッドタイムＴＤの間待機することによってＮｆ−ｐｅｒ−ｃｙｃｌｅ回数だけすべてのｎの周波数を通じてホッピングした後にビーコンバーストの送信をスタガリングすることであって、ＴＤは、１ｘＲＴＴ受信機をページングするために使用されるすべての１ｘＲＴＴページングスロットが、小数点第一位が切り上げられたＳＡＬＬ／（ｂＳ＋Δ）＊よりも大きくない連続するホッピングサイクルの数を用いてカバーされるような値が計算される。方法１２００は、１２８５において、すべてのｎの周波数に関する信号を備える１ｘＲＴＴバーストを送信することをさらに含むことができ、１ｘＲＴＴバーストの各々は、ｎ（ｂＳ＋Δ）の周期を有する。方法１２００は、１２９０において、１又はｆｌｏｏｒ［ＳＡＬＬ／（ｎ（ｂＳ＋Δ）］から選択された数に等しいＮｆ−ｐｅｒ−ｃｙｃｌｅを選択することをさらに含むことができる。上記と一致する形で、Ｎｆ−ｐｅｒ−ｃｙｃｌｅは、継続時間（ｂＳ＋Δ）を有する各周波数でＮｆ−ｐｅｒ−ｃｙｃｌｅ回ホッピング後の総継続時間がＳａｌｌよりも小さくなるような値を選択することができる。方法１２００は、１２９５において、ＴＤ＝ＴＤ１＋ＴＤ２であるようなデッドタイムＴＤを計算することをさらに含むことができ、ＴＤ２＝（ｂＳ＋Δ）であり、［ｎＮｆ−ｐｅｒ−ｃｙｃｌｅ（ｂＳ＋Δ）＋ＴＤ１］は、ＳＡＬＬの整数倍数である。
【０１４０】
図１３を参照し、無線ネットワーク内のＨＮＢ又は基地局として、又はノードＢ又は基地局内での使用のためのプロセッサ又は同様のデバイスとして構成することができる典型的な装置１３００が提供され、方法１２００により無線通信システムの基地局からの１ｘＲＴＴ無線送信のための１ｘＲＴＴビーコンの送信を制御する。装置１３００は、プロセッサ、ソフトウェア、又はそれらの組み合わせ（例えば、ファームウェア）によって実装された機能を表すことができる機能ブロックを含むことができる。
【０１４１】
例示されるように、一実施形態では、装置１３００は、対応する信号におけるｎの数の１ｘＲＴＴ周波数に関する１ｘＲＴＴ発見バーストを送信するための電気的コンポーネント又はモジュール１３０２を含むことができ、各々の周波数に関する信号は、繰り返しシーケンスで次々に送信される。例えば、電気的コンポーネント１３０２は、送信機コンポーネントに結合された少なくとも１つの制御プロセッサを含むことができる。電気的コンポーネント１３０２は、対応する信号におけるｎの数の１ｘＲＴＴ周波数に関する１ｘＲＴＴ発見バーストを送信するための手段であることができ、又は、対応する信号におけるｎの数の１ｘＲＴＴ周波数に関する１ｘＲＴＴ発見バーストを送信するための手段を含むことができ、各々の周波数に関する信号は、繰り返しシーケンスで次々に送信される。該手段は、アルゴリズムを動作させる少なくとも１つの制御プロセッサを含むことができる。アルゴリズムは、例えば、各々の周波数でｎの１ｘＲＴＴ発見バーストの繰り返されたシーケンスを生成することと、送信機からその繰り返されたシーケンスを送信することと、を含むことができる。
【０１４２】
装置１３００は、ｂＳ＋Δによって決定された継続時間の間に信号の各々を送信するための電気的コンポーネント１３０４を含むことができ、‘ｂ’は整数であり、‘Ｓ’は、１ｘＲＴＴ受信機をページングするために使用されるすべての１ｘＲＴＴページングスロットの定義された数ＳＡＬＬよりも小さいか又は等しく、‘Δ’は、ゼロよりも大きい推定された一定の遅延値である。例えば、電気的コンポーネント１３０４は、メモリ及び送信機、等に結合された少なくとも１つの制御プロセッサを含むことができる。電気的コンポーネント１３０４は、ｂＳ＋Δによって決定された継続時間の間に信号の各々を送信するための手段であることができ、又は、ｂＳ＋Δによって決定された継続時間の間に信号の各々を送信するための手段を含むことができ、‘ｂ’は整数であり、‘Ｓ’は、１ｘＲＴＴ受信機をページングするために使用されるすべての１ｘＲＴＴページングスロットの定義された数ＳＡＬＬよりも小さいか又は等しく、‘Δ’は、ゼロよりも大きい推定された一定の遅延値である。該手段は、アルゴリズムを動作させる少なくとも１つの制御プロセッサを含むことができる。アルゴリズムは、例えば、ｂのための整数値を選択することと、１ｘＲＴＴ受信機をページングするために使用されるすべての１ｘＲＴＴページングスロットの定義された数ＳＡＬＬよりも小さいか又は等しいＳの値を選択することと、ゼロよりも大きい一定の遅延値Δを推定することと、関係ｂＳ＋Δによって継続時間を決定することと、決定された継続時間値により送信継続時間を制御することと、を含むことができる。装置１３００は、図１２Ｂ−Ｃと関係させて説明されるいずれかの又はすべての追加の動作を実施するための同様の電気的コンポーネントを含むことができ、それらは、図を簡略化することを目的として図１３には示されていない。
【０１４３】
関連する態様では、装置１３００は、装置１３００がアクセスポイントとして構成される場合は、少なくとも１つのプロセッサを有するプロセッサコンポーネント１３１０を任意選択で含むことができる。プロセッサ１３１０は、該事例においては、バス１３１２又は同様の通信カップリングを介してコンポーネント１３０２乃至１３０４又は同様のコンポーネントと動作可能な形で通信することができる。プロセッサ１３１０は、電気的コンポーネント１３０２乃至１３０４によって実行されるプロセス又は機能の開始及びスケジューリングを行うことができる。
【０１４４】
さらなる関連された態様において、装置１３００は、無線トランシーバコンポーネント１３１４を含むことができる。独立型受信機及び／又は独立型送信機をトランシーバ１３１４の代わりに又はトランシーバ１３１４と連繋させて使用することができる。装置１３００は、情報を格納するためのコンポーネント、例えば、メモリデバイス／コンポーネント１３１６、を任意選択で含むことができる。コンピュータによって読み取り可能な媒体又はメモリコンポーネント１３１６は、バス１３１２、等を介して装置１３００のその他のコンポーネントに動作可能な形で結合することができる。メモリコンポーネント１３１６は、コンポーネント１３０２乃至１３０４、及びそれらのサブコンポーネント、又はプロセッサ１３１０、又はここにおいて開示される方法、のプロセス及び動作を実行するためのコンピュータによって読み取り可能な命令及びデータを格納するように好適化することができる。メモリコンポーネント１３１６は、コンポーネント１３０２乃至１３０４と関連付けられた機能を実行するための命令を保持することができる。コンポーネント１３０２乃至１３０４は、メモリ１３１６の外部のコンポーネントとして示されているが、それらは、メモリ１３１６内に存在することができることが理解されるべきである。
【０１４５】
図１４に示される方法１４００は、"欲張り"アルゴリズムにより無線通信システムの基地局からの１ｘＲＴＴビーコンの送信を制御するために使用することができ、図１５は、図１４の方法のさらなる態様を示す。方法１４００は、モバイルアクセス端末に送信するための無線通信装置、例えば、ＨＮＢ又はフェムト基地局、において実施することができる。方法１４００は、１４１０において、１ｘＲＴＴ発見バーストによって提供される基地局のメモリ内のｎ×ＳＡＬＬ行列のカバレッジを追跡することを含むことができ、'ｎ'は、１ｘＲＴＴ受信機に通信するために使用される１ｘＲＴＴ周波数の総数を示し、'ＳＡＬＬ'は、無線通信システムの１ｘＲＴＴ受信機をページングするために使用されるすべての１ｘＲＴＴページングスロットの定義された数を示す。これは、例えば、行列要素をカバーする信号の送信を完了させることに応答して予め決定された値に行列要素を設定することを含むことができる。方法１４００は、１４２０において、ｎの周波数のうちの１つの選択されたそれでの１ｘＲＴＴページングのうちのすべてよりも少ない数をカバーする数'Ｓ'の信号パルスをそれぞれ備える１ｘＲＴＴ発見バーストを、ｎの周波数のうちの選択されたそれらで、送信することをさらに含むことができる。方法１４００は、１４３０において、１ｘＲＴＴ発見バーストのうちの各々の引き続くそれによって提供されるｎ×ＳＡＬＬ行列のカバレッジの増大を最大化するために１ｘＲＴＴ発見バーストのうちのそれらを送信する前にｎの周波数のうちのそれらを選択することをさらに含むことができる。１ｘＲＴＴビーコンの送信を制御することに関するさらなる詳細及び変形が以下において図１５を参照して説明される。
【０１４６】
図１５を参照し、１ｘＲＴＴビーコンの送信を制御するための幾つかの追加の動作１５００が描かれ、それらは、互いの代替として又は動作可能な形で組み合わせて実施することができる。動作１５００のうちの１つ以上は、方法１４００の一部として任意選択で実施することができる。要素１５００は、あらゆる動作可能な順序で実施することができ、又は特定の時系列的な実施順序を要求せずに開発アルゴリズムによって包含することができる。動作は、独立して実施され、相互に排他的でない。従って、該動作のうちのいずれの１つも、他のダウンストリーム又はアップストリーム動作が実施されるかどうかにかかわらず実施することができる。例えば、方法１４００が動作１５００のうちの少なくとも１つを含む場合は、方法１４００は、例示することができる連続するダウンストリーム動作を必ずしも含む必要なしに、その少なくとも１つの動作後に終了することができる。
【０１４７】
一実施形態では、方法１４００のｎの周波数１４３０のうちのそれらを選択することは、１５１０において、Ｓの数の信号パルスから成る次の組によってカバーすることができる１ｘＲＴＴページングスロットの部分組を決定することをさらに含むことができる。代替においては、又はさらなる追加で、方法１４００のｎの周波数１４３０のうちのそれらを選択することは、１５２０において、ｎの周波数のうちの各々のｉ番目のそれに関して、ｎ×ＳＡＬＬ行列においてカバーされているということをまだ示されておらず及びＳの数の信号パルスから成る次の組によってカバーすることができる'Ｗｉ'の数の１ｘＲＴＴページングスロットを決定することをさらに含むことができる。代替においては、又はさらなる追加で、方法１４００のｎの周波数１４３０のうちのそれらを選択することは、１５３０において、すべてのｉに関する最大のＷｉに等しい最大数Ｗｍａｘを決定することをさらに含むことができ、Ｗｍａｘは、周波数ｆｉで生じる。代替においては、又はさらなる追加で、方法１４００のカバレッジ１４１０を追跡することは、１５４０において、選択された周波数ｆｉでのＳの数の信号パルスから成る次の組によってカバーされることになるページングスロットに関するこの周波数ｆｉのエントリを予め決定された値に設定することを含むことができる。ｎ×ＳＡＬＬ行列全体がカバーされた時点で、行列内のすべてのエントリをクリアしてサイクルを繰り返すことができる。ｎ×ＳＡＬＬ行列をリアルタイムで維持する代替においては、パターンは、上述されるのと同一の手順を用いてオフラインで予め計算し、アクセスポイントのメモリ、例えば、フェムトアクセスポイント（ＦＡＰ）メモリ、内にローディングすることができる。ＦＡＰ又はその他のアクセスポイントは、このメモリから読み取ることによって異なる周波数でビーコンを送信することができる。
【０１４８】
図１６を参照し、無線ネットワーク内のＨＮＢ又は基地局として、又はノードＢ又は基地局内での使用のためのプロセッサ又は同様のデバイスとして構成することができる典型的な装置１６００が提供され、方法１４００により無線通信システムの基地局からの１ｘＲＴＴ無線送信のための１ｘＲＴＴビーコンの送信を制御する。装置１６００は、プロセッサ、ソフトウェア、又はそれらの組み合わせ（例えば、ファームウェア）によって実装された機能を表すことができる機能ブロックを含むことができる。
【０１４９】
例示されるように、一実施形態では、装置１６００は、１ｘＲＴＴ発見バーストによって提供される基地局のメモリ内のｎ×ＳＡＬＬ行列のカバレッジを追跡するための電気的コンポーネント又はモジュール１６０２を含むことができ、'ｎ'は、１ｘＲＴＴ受信機に通信するために使用される１ｘＲＴＴ周波数の総数を示し、'ＳＡＬＬ'は、無線通信システムにおいて１ｘＲＴＴ受信機をページングするために使用されるすべての１ｘＲＴＴページングスロットの定義された数を示す。例えば、電気的コンポーネント１６０２は、メモリコンポーネントに結合された少なくとも１つの制御プロセッサを含むことができる。電気的コンポーネント１６０２は、１ｘＲＴＴ発見バーストによって提供される基地局のメモリ内のｎ×ＳＡＬＬ行列のカバレッジを追跡するための手段であることができ、又は１ｘＲＴＴ発見バーストによって提供される基地局のメモリ内のｎ×ＳＡＬＬ行列のカバレッジを追跡するための手段を含むことができ、'ｎ'は、１ｘＲＴＴ受信機に通信するために使用される１ｘＲＴＴ周波数の総数を示し、'ＳＡＬＬ'は、無線通信システムにおいて１ｘＲＴＴ受信機をページングするために使用されるすべての１ｘＲＴＴページングスロットの定義された数を示す。該手段は、アルゴリズムを動作させる少なくとも１つの制御プロセッサを含むことができる。アルゴリズムは、例えば、１ｘＲＴＴ発見バーストによって提供される基地局のメモリ内にｎ×ＳＡＬＬ行列全体を維持することであって、'ｎ'は、１ｘＲＴＴ受信機に通信するために使用される１ｘＲＴＴ周波数の総数を示し、'ＳＡＬＬ'は、無線通信システムにおいて１ｘＲＴＴ受信機をページングするために使用されるすべての１ｘＲＴＴページングスロットの定義された数を示すことと、ビーコン送信に応答して行列内に値を記録することと、を含むことができる。
【０１５０】
装置１６００は、ｎの周波数のうちの１つの選択されたそれでの１ｘＲＴＴページングスロットのうちのすべてよりも少ない数をカバーする'Ｓ'の数の信号パルスを各々備える１ｘＲＴＴ発見バーストを、ｎの周波数のうちの選択されたそれらにおいて、送信するための電気的コンポーネント１６０４を含むことができる。例えば、電気的コンポーネント１６０４は、メモリ及び送信機、等に結合された少なくとも１つの制御プロセッサを含むことができる。電気的コンポーネント１６０４は、ｎの周波数のうちの１つの選択されたそれでのＲＴＴページングスロットのうちのすべてよりも少ない数をカバーする'Ｓ'の数の信号パルスを各々備える１ｘＲＴＴ発見バーストを、ｎの周波数のうちの選択されたそれらにおいて、送信するための手段であることができ、又は、ｎの周波数のうちの１つの選択されたそれでのＲＴＴページングスロットのうちのすべてよりも少ない数をカバーする'Ｓ'の数の信号パルスを各々備える１ｘＲＴＴ発見バーストを、ｎの周波数のうちの選択されたそれらにおいて、送信するための手段を含むことができる。該手段は、アルゴリズムを動作させる少なくとも１つの制御プロセッサを含むことができる。アルゴリズムは、例えば、ｎの周波数のうちの１つ以上を選択することと、信号パルスの数'Ｓ'がすべての１ｘＲＴＴページングスロットと整合するように１ｘＲＴＴ発見バーストを構成することと、１ｘＲＴＴ発見バーストを送信することと、を含むことができる。
【０１５１】
装置１６００は、１ｘＲＴＴ発見バーストのうちの各々の引き続くそれによって提供されるｎ×ＳＡＬＬ行列のカバレッジの増大を最大化するために１ｘＲＴＴ発見バーストのうちのそれらを送信する前にｎの周波数のうちのそれらを選択するための電気的コンポーネント１６０６をさらに含むことができる。例えば、電気的コンポーネント１６０６は、メモリコンポーネントに結合された少なくとも１つの制御プロセッサを含むことができる。電気的コンポーネント１６０６は、１ｘＲＴＴ発見バーストのうちの各々の引き続くそれによって提供されるｎ×ＳＡＬＬ行列のカバレッジの増大を最大化するために１ｘＲＴＴ発見バーストのうちのそれらを送信する前にｎの周波数のうちのそれらを選択するための手段であることができ、又は、１ｘＲＴＴ発見バーストのうちの各々の引き続くそれによって提供されるｎ×ＳＡＬＬ行列のカバレッジの増大を最大化するために１ｘＲＴＴ発見バーストのうちのそれらを送信する前にｎの周波数のうちのそれらを選択するための手段を含むことができる。該手段は、アルゴリズムを動作させる少なくとも１つの制御プロセッサを含むことができる。アルゴリズムは、例えば、ｎの周波数のうちの各々の未使用のそれらに関する１ｘＲＴＴ発見バーストのうちの予期される（ｐｒｏｓｐｅｃｔｉｖｅ）それらによって提供されるｎ×ＳＡＬＬ行列のカバレッジの増大を推定することと、推定されるカバレッジの増大が最大である予期されるバーストに関する周波数を選択することと、を含むことができる。装置１６００は、図１５と関係させて説明される追加の動作１５００のうちのいずれか又はすべてを実施するための同様の電気的コンポーネントを含むことができ、それらは、図を簡略化することを目的として図９には示されていない。
【０１５２】
関連する態様では、装置１６００は、装置１６００がネットワークエンティティとして構成される場合は、少なくとも１つのプロセッサを有するプロセッサコンポーネント１６１０を任意選択で含むことができる。プロセッサ１６１０は、該事例においては、バス１６１２又は同様の通信カップリングを介してコンポーネント１６０２乃至１６０６又は同様のコンポーネントと動作可能な形で通信することができる。プロセッサ１６１０は、電気的コンポーネント１６０２乃至１６０６によって実施されるプロセス又は機能の開始及びスケジューリングを行うことができる。
【０１５３】
さらなる関連された態様において、装置１６００は、無線トランシーバコンポーネント１６１４を含むことができる。独立型受信機及び／又は独立型送信機をトランシーバ１６１４の代わりに又はトランシーバ１６１４と連繋させて使用することができる。装置１６００は、情報を格納するためのコンポーネント、例えば、メモリデバイス／コンポーネント１６１６、を任意選択で含むことができる。コンピュータによって読み取り可能な媒体又はメモリコンポーネント１６１６は、バス１６１２、等を介して装置１６００のその他のコンポーネントに動作可能な形で結合することができる。メモリコンポーネント１６１６は、コンポーネント１６０２乃至１６０６、及びそれらのサブコンポーネント、又はプロセッサ１６１０、又はここにおいて開示される方法、のプロセス及び動作を実行するためのコンピュータによって読み取り可能な命令及びデータを格納するように好適化することができる。メモリコンポーネント１６１６は、コンポーネント１６０２乃至１６０６と関連付けられた機能を実行するための命令を保持することができる。コンポーネント１６０２乃至１６０６は、メモリ１６１６の外部のコンポーネントとして示されているが、それらは、メモリ１６１６内に存在することができることが理解されるべきである。
【０１５４】
開示されるプロセスにおけるステップの特定の順序又は階層は、典型的な手法の一例であることが理解される。設計上の選好に基づき、プロセスにおけるステップの特定の順序又は階層は、本開示の適用範囲内にとどまりつつ再編することができることが理解される。添付された方法請求項は、様々なステップの要素を見本の順序で提示するものであり、提示された特定の順序又は階層に限定されることは意味されない。
【０１５５】
当業者は、情報及び信号は様々な異なる技術及び技法のうちのいずれかを用いて表すことができることを理解するであろう。例えば、上記の説明全体を通じて参照されることがあるデータ、命令、コマンド、情報、信号、ビット、シンボル、及びチップは、電圧、電流、電磁波、磁場、磁粒子、光学場、光学粒子、又はそれらのあらゆる組合せによって表すことができる。
【０１５６】
ここにおいて開示される実施形態と関係させて説明される様々な例示的な論理ブロック、モジュール、回路、及びアルゴリズムのステップは、電子ハードウェア、コンピュータソフトウェア、又は両方の組み合わせとして実装可能であることを当業者はさらに評価するであろう。ハードウェアとソフトウェアのこの互換性を明確に例示するため、上記においては、様々な例示的なコンポーネント、ブロック、モジュール、回路、及びステップが、それらの機能の観点で一般的に説明されている。該機能がハードウェアとして又はソフトウェアとして実装されるかは、特定の用途及び全体的システムに対する設計上の制約事項に依存する。当業者は、説明されている機能を各々の特定の用途に合わせて様々な形で実装することができるが、該実装決定は、本開示の適用範囲からの逸脱を生じさせるものであるとは解釈されるべきではない。
【０１５７】
ここにおいて開示される実施形態と関係させて説明される様々な例示的な論理ブロック、モジュール、及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）又はその他のプログラマブル論理デバイス、ディスクリートゲートロジック、ディスクリートトランジスタロジック、ディスクリートハードウェアコンポーネント、又はそれらのあらゆる組合せ、を用いて実装又は実行することができる。汎用プロセッサは、マイクロプロセッサであることができるが、代替においては、プロセッサは、どのような従来のプロセッサ、コントローラ、マイクロコントローラ、又はステートマシンであってもよい。プロセッサは、コンピューティングデバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はその他のあらゆる該構成との組合せ、として実装することもできる。
【０１５８】
１つ以上の典型的な実施形態において、説明される機能は、ハードウェア、ソフトウェア、ファームウェア、又はそれらの組み合わせにおいて実装することができる。ソフトウェアにおいて実装される場合は、これらの機能は、非一時的なコンピュータによって読み取り可能な媒体において１つ以上の命令又はコードとして格納すること又は送信することができる。非一時的なコンピュータによって読み取り可能な媒体は、両方のコンピュータ記憶媒体を含む。記憶媒体は、コンピュータによってアクセス可能なあらゆる利用可能な媒体を含むことができる。一例として、及び限定することなしに、該非一時的なコンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、希望されるプログラムコードを命令又はデータ構造の形態で搬送又は格納するために使用することができ及びコンピュータによってアクセス可能であるその他の媒体、を含むことができる。ここにおいて用いられるときのディスク（ｄｉｓｋ及びｄｉｓｃ）は、コンパクトディスク（ＣＤ）（ｄｉｓｃ）と、レーザーディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ー（登録商標）ディスク（ｄｉｓｋ）と、ブルーレイディスク（ｄｉｓｃ）と、を含み、ここで、"ｄｉｓｋ"は、通常は、磁気的符号化を用いてデータを保持する媒体を意味し、"ｄｉｓｃ"は、通常は、光学的符号化を用いてデータを保持する媒体を意味する。上記の組合せも、非一時的なコンピュータによって読み取り可能な媒体の適用範囲に含めるべきである。
【０１５９】
開示された実施形態に関する前の説明は、当業者が本開示を製造又は使用することを可能にするために提供される。これらの実施形態に対する様々な修正は、当業者にとって容易に明確になるであろう、及びここにおいて定められる一般原理は、本開示の精神又は適用範囲を逸脱せずにその他の実施形態に対しても適用することができる。以上のように、本開示は、ここにおいて示される実施形態に限定されることが意図されるものではなく、ここにおいて開示される原理及び新規の特徴に一致する限りにおいて最も広範な適用範囲が認められるべきである。
以下に、本願出願の当初の特許請求の範囲に記載された発明を付記する。
［Ｃ１］  目標とされる発見時間‘Ｔ’を達成するために無線通信システムの基地局によるデータオプティマイズド（ＤＯ）無線送信のための周期的ＤＯビーコンの送信を制御するための方法であって、
前記基地局によってサービスが提供されるアクセス端末に関するスリープサイクル数を表すゼロでない正の整数である数字‘Ｎ’を決定することと、
Ｎ及び周期性‘Ｐ’が制御チャネルサイクル数で表されるＴよりも小さい最小公倍数を有するようなゼロでないＰを決定することと、
システム制御チャネルサイクルと同期化された信号のバーストにおいて一定の間隔で配置されたＤＯビーコンを周期的に送信することであって、前記バーストの各々における１つ以上の無線周波数の各々での前記信号は、前記アクセス端末に関して前記周期性Ｐを有し及び各々の可能な制御チャネルオフセットをカバーするパターンによって決定されることと、を備える、方法。
［Ｃ２］  Ｐ及びＮの最小公倍数よりも小さくない前記一定の間隔で配置された前記バーストのうちの連続するそれらを送信することをさらに備えるＣ１に記載の方法。
［Ｃ３］  制御チャネルサイクル数の点でＬ×Ｎに等しいＰ及びＮの最小公倍数よりも大きい前記一定間隔で配置された前記バーストのうちの連続するそれらを送信することをさらに備え、Ｌは、Ｍ／Ｎと互いに素の整数であり、Ｍは、Ｎよりも大きく、及び、長期スリープサイクルを使用する前記アクセス端末のうちのそれらに関するスリープサイクル継続時間に対応するＣ１に記載の方法。
［Ｃ４］  いずれかのシステム制御チャネルサイクルにおける各周波数に関して単一の送信を備える前記パターンを用いて前記ビーコンを送信することをさらに備え、Ｎ及びＰの最大公約数は、１に等しいＣ１に記載の方法。
［Ｃ５］  ２つの連続する制御チャネルサイクルにおける送信を備える前記パターンを用いて前記ビーコンを送信することをさらに備えるＣ１に記載の方法。
［Ｃ６］  前記ＤＯビーコンとして構成された信号の前記バースト間に１ｘ無線送信技術（１ｘＲＴＴ）無線送信のための１ｘＲＴＴビーコンとして構成された信号の追加のバーストを送信することをさらに備えるＣ１に記載の方法。
［Ｃ７］  前記１ｘＲＴＴビーコンとして構成された信号の前記追加のバーストを、前記一定の間隔のうちの１つマイナス前記ＤＯビーコンでの各信号バーストの継続時間よりも大きくないＮの数のスリープサイクルを有するアクセス端末のシステムに関して最悪時発見時間を有するようにパターン化することをさらに備えるＣ６に記載の方法。
［Ｃ８］  数値増分レジスタ値がゼロでない数の未決のＤＯ登録を示すことに応答して、１ｘ無線送信技術（１ｘＲＴＴ）無線送信に関してユーザ登録を完了させることによってトリガされた前記ＤＯビーコンを送信することをさらに備えるＣ１に記載の方法。
［Ｃ９］  １ｘＲＴＴユーザ登録を完了させる及びＤＯユーザ登録を完了させる各々の異なるイベントに対応する量をオフセットする際に前記レジスタ値を増分及び減分することによって未決のＤＯ登録の数を追跡するために前記レジスタを使用することをさらに備えるＣ８に記載の方法。
［Ｃ１０］  前記基地局によってサービスが提供されるアクセス端末に関するスリープサイクル数を表すゼロでない正の整数である数字‘Ｎ’を決定し、Ｎ及び周期性‘Ｐ’が制御チャネルサイクル数で表されるＴよりも小さい最小公倍数を有するようなゼロでないＰを決定し、及びシステム制御チャネルサイクルと同期化された信号のバーストにおいて一定の間隔で配置されたデータオプティマイズド（ＤＯ）ビーコンを周期的に送信するために構成された少なくとも１つのプロセッサであって、前記バーストの各々における１つ以上の無線周波数の各々での前記信号は、前記アクセス端末に関して前記周期性Ｐを有し及び各々の可能な制御チャネルオフセットをカバーするパターンによって決定される、少なくとも１つのプロセッサと、
データを格納するために前記少なくとも１つのプロセッサに結合されたメモリと、を備える、装置。
［Ｃ１１］  前記プロセッサは、Ｐ及びＮの最小公倍数よりも小さくない前記一定の間隔で配置された前記バーストのうちの連続するそれらを送信するためにさらに構成されるＣ１０に記載の装置。
［Ｃ１２］  前記プロセッサは、制御チャネルサイクル数の点でＬ×Ｎに等しいＰ及びＮの最小公倍数よりも大きい前記一定間隔で配置された前記バーストのうちの連続するそれらを送信するためにさらに構成され、Ｌは、Ｍ／Ｎと互いに素の整数であり、Ｍは、Ｎよりも大きく、及び、長期スリープサイクルを使用する前記アクセス端末のうちのそれらに関するスリープサイクル継続時間に対応するＣ１０に記載の装置。
［Ｃ１３］  前記プロセッサは、いずれかのシステム制御チャネルサイクルにおける各周波数に関して単一の送信を備える前記パターンを用いて前記ビーコンを送信するためにさらに構成され、Ｎ及びＰの最大公約数は、１に等しいＣ１０に記載の装置。
［Ｃ１４］  前記プロセッサは、２つの連続する制御チャネルサイクルにおける送信を備える前記パターンを用いて前記ビーコンを送信するためにさらに構成されるＣ１０に記載の装置。
［Ｃ１５］  前記プロセッサは、前記ＤＯビーコンとして構成された信号の前記バースト間に１ｘ無線送信技術（１ｘＲＴＴ）無線送信のための前記１ｘＲＴＴビーコンとして構成された信号の追加のバーストを送信するためにさらに構成されるＣ１０に記載の装置。
［Ｃ１６］  前記プロセッサは、前記１ｘＲＴＴビーコンとして構成された信号の前記追加のバーストを、前記一定の間隔のうちの１つマイナス前記ＤＯビーコンでの各信号バーストの継続時間よりも大きくないＮの数のスリープサイクルを有するアクセス端末のシステムに関して最悪時発見時間を有するようにパターン化するためにさらに構成されるＣ１５に記載の装置。
［Ｃ１７］  前記プロセッサは、数値増分レジスタ値がゼロでない数の未決のＤＯ登録を示すことに応答して、１ｘ無線送信技術（１ｘＲＴＴ）無線送信に関してユーザ登録を完了させることによってトリガされた前記ＤＯビーコンを送信するためにさらに構成されるＣ１０に記載の装置。
［Ｃ１８］  前記プロセッサは、１ｘＲＴＴユーザ登録を完了させる及びＤＯユーザ登録を完了させる各々の異なるイベントに対応する量をオフセットする際に前記レジスタ値を増分及び減分することによって未決のＤＯ登録の数を追跡するために前記レジスタを使用するためにさらに構成されるＣ１７に記載の装置。
［Ｃ１９］  前記基地局によってサービスが提供されるアクセス端末に関するスリープサイクル数を表すゼロでない正の整数である数字‘Ｎ’を決定するための手段と、
Ｎ及び周期性‘Ｐ’が制御チャネルサイクル数で表されるＴよりも小さい最小公倍数を有するようなゼロでないＰを決定するための手段と、
システム制御チャネルサイクルと同期化された信号のバーストにおいて一定の間隔で配置されたデータオプティマイズド（ＤＯ）ビーコンを周期的に送信するための手段であって、前記バーストの各々における１つ以上の無線周波数の各々での前記信号は、前記アクセス端末に関して前記周期性Ｐを有し及び各々の可能な制御チャネルオフセットをカバーするパターンによって決定される手段と、を備える、装置。
［Ｃ２０］  前記基地局によってサービスが提供されるアクセス端末に関するスリープサイクル数を表すゼロでない正の整数である数字‘Ｎ’を決定すること、Ｎ及び周期性‘Ｐ’が制御チャネルサイクル数で表されるＴよりも小さい最小公倍数を有するようなゼロでないＰを決定すること、及びシステム制御チャネルサイクルと同期化された信号のバーストにおいて一定の間隔で配置されたデータオプティマイズド（ＤＯ）ビーコンを周期的に送信することを行うことをコンピュータに行わせるためのコードを備える非一時的なコンピュータによって読み取り可能な媒体であって、前記バーストの各々における１つ以上の無線周波数の各々での前記信号は、前記アクセス端末に関して前記周期性Ｐを有し及び各々の可能な制御チャネルオフセットをカバーするパターンによって決定される非一時的なコンピュータによって読み取り可能な媒体、を備える、コンピュータプログラム製品。
［Ｃ２１］  無線通信システムの基地局によるオポチュニスティックデータオプティマイズド（ＤＯ）ビーコンの送信を制御するための方法であって、
基地局メモリ内の未決のＤＯ登録の数を示す数値カウンタを維持することと、
前記数値カウンタが少なくとも１つの未決のＤＯ登録を示すときに前記基地局において１ｘ無線送信技術（１ｘＲＴＴ）無線送信に関してユーザ登録を完了させることに応答してＤＯビーコン送信の開始をトリガすることと、を備える、方法。
［Ｃ２２］  前記ＤＯビーコン送信の開始をトリガすることが少なくとも１つのタイマに応答してどのような頻度で実施されるかを制限することをさらに備えるＣ２１に記載の方法。
［Ｃ２３］  １ｘＲＴＴユーザ登録を完了させる及びＤＯユーザ登録を完了させる各々の異なるイベントに対応する量をオフセットする際に前記カウンタを増分及び減分することによって未決のＤＯ登録の数を示すことをさらに備えるＣ２１に記載の方法。
［Ｃ２４］  時には第１の継続時間の間前記ＤＯビーコンを送信することと、その他のときには、前記第１の継続時間よりも実質的に長い第２の継続時間の間前記ＤＯビーコンを送信することと、をさらに備えるＣ２１に記載の方法。
［Ｃ２５］  数値カウンタを維持することは、別々のカウンタを維持することをさらに含み、第１の数値カウンタは、前記第１の継続時間の間に前記ＤＯビーコンを送信した最後のインスタンス以降の未決のＤＯ登録の数を示し、第２の数値カウンタは、前記第２の継続時間の間に前記ＤＯビーコンを送信した最後のインスタンス以降の未決のＤＯ登録の数マイナス前記第１の数値カウンタの現在値を示すＣ２１に記載の方法。
［Ｃ２６］  前記ＤＯビーコンとして構成された前記周期的バースト間に１ｘＲＴＴビーコンとして構成された追加のバーストを送信することをさらに備えるＣ２１に記載の方法。
［Ｃ２７］  基地局メモリ内の未決のＤＯ登録の数を示す数値カウンタを維持し、及び、前記数値カウンタが少なくとも１つの未決のＤＯ登録を示すときに前記基地局において１ｘ無線送信技術（１ｘＲＴＴ）無線送信に関してユーザ登録を完了させることに応答してＤＯビーコン送信の開始をトリガするために構成された少なくとも１つのプロセッサと、
データを格納するために前記少なくとも１つのプロセッサに結合されたメモリと、を備える、装置。
［Ｃ２８］  前記プロセッサは、前記ＤＯビーコン送信の開始をトリガすることが少なくとも１つのタイマに応答してどのような頻度で実施されるかを制限するためにさらに構成されるＣ２７に記載の装置。
［Ｃ２９］  前記プロセッサは、１ｘＲＴＴユーザ登録を完了させる及びＤＯユーザ登録を完了させる各々の異なるイベントに対応する量をオフセットする際に前記カウンタを増分及び減分することによって未決のＤＯ登録の数を示すためにさらに構成されるＣ２７に記載の装置。
［Ｃ３０］  前記プロセッサは、時には第１の継続時間の間前記ＤＯビーコンを送信し、及び、その他のときには、前記第１の継続時間よりも実質的に長い第２の継続時間の間前記ＤＯビーコンを送信するためにさらに構成されるＣ２７に記載の装置。
［Ｃ３１］  前記プロセッサは、別々のカウンタを維持することをさらに備える前記数値カウンタを維持するためにさらに構成され、第１の数値カウンタは、前記第１の継続時間の間に前記ＤＯビーコンを送信した最後のインスタンス以降の未決のＤＯ登録の数を示し、第２の数値カウンタは、前記第２の継続時間の間に前記ＤＯビーコンを送信した最後のインスタンス以降の未決のＤＯ登録の数マイナス前記第１の数値カウンタの現在値を示すＣ２７に記載の装置。
［Ｃ３２］  前記プロセッサは、前記ＤＯビーコンとして構成された前記周期的バースト間に１ｘＲＴＴビーコンとして構成された追加のバーストを送信するためにさらに構成されるＣ２７に記載の装置。
［Ｃ３３］  基地局メモリ内の未決のＤＯ登録の数を示す数値カウンタを維持するための手段と、
前記数値カウンタが少なくとも１つの未決のＤＯ登録を示すときに前記基地局において１ｘ無線送信技術（１ｘＲＴＴ）無線送信に関してユーザ登録を完了させることに応答してＤＯビーコン送信の開始をトリガするための手段と、を備える、装置。
［Ｃ３４］  基地局メモリ内の未決のＤＯ登録の数を示す数値カウンタを維持すること、及び前記数値カウンタが少なくとも１つの未決のＤＯ登録を示すときに前記基地局において１ｘ無線送信技術（１ｘＲＴＴ）無線送信に関してユーザ登録を完了させることに応答してＤＯビーコン送信の開始をトリガすること、を実施することをコンピュータ行わせるためのコードを備える非一時的なコンピュータによって読み取り可能な媒体、を備える、コンピュータプログラム製品。
［Ｃ３５］  無線通信システムの基地局による１ｘ無線送信技術（１ｘＲＴＴ）ビーコンの送信を制御するための方法であって、
対応する信号においてｎの数の１ｘＲＴＴ周波数に関して１ｘＲＴＴ発見バーストを送信することであって、各々の周波数に関する信号は、繰り返しシーケンスで次々に送信されることと、
ｂＳ＋Δによって決定された継続時間の間前記信号の各々を送信することであって、‘ｂ’は、整数であり、‘Ｓ’は、１ｘＲＴＴ受信機をページングするために使用されるすべての１ｘＲＴＴページングスロットの定義された数ＳＡＬＬよりも小さいか又は等しく、‘Δ’は、ゼロよりも大きい推定された一定の遅延値であることと、を備える、方法。
［Ｃ３６］  すべてのｎの周波数に関する信号を備える前記１ｘＲＴＴバーストを送信することをさらに備え、前記１ｘＲＴＴバーストの各々は、ｎ（ｂＳ＋Δ）の周期を有するＣ３５に記載の方法。
［Ｃ３７］  ｂＳ＋Δによって決定された前記継続時間を有する各々の周波数に関する前記１ｘＲＴＴバーストを送信することをさらに備え、Ｓは、１ｘＲＴＴ受信機をページングするために使用されるすべての１ｘＲＴＴページングスロットの前記定義された数ＳＡＬＬに等しく、前記１ｘＲＴＴバーストの各々は、ｎ（ｂＳＡＬＬ＋Δ）の周期を有するＣ３５に記載の方法。
［Ｃ３８］  前記基地局での周波数切り換え遅延及びアクセス端末でのページングチャネル復号遅延のうちの少なくとも１つを備える予想される遅延の和を補償するためのΔに関する値を定義することをさらに備えるＣ３５に記載の方法。
［Ｃ３９］  前記繰り返しシーケンスのＮ番目のサイクルごとに増大された電力レベルで前記１ｘＲＴＴビーコンを送信することをさらに備え、Ｎは、１よりも大きい整数であるＣ３５に記載の方法。
［Ｃ４０］  前記１ｘＲＴＴビーコンへのアイドルハンドオフをトリガするために２つよりも多くない連続するウェイクアップサイクルを要求するアクセス端末に対処するために、前記繰り返しシーケンスの全信号に関して２に等しい前記整数ｂを選択することをさらに備えるＣ３５に記載の方法。
［Ｃ４１］  前記１ｘＲＴＴビーコンへのアイドルハンドオフをトリガするために単一よりも多くないウェイクアップサイクルを要求するアクセス端末に対処するために、前記繰り返しシーケンスの全信号に関して１に等しい前記整数ｂを選択することをさらに備えるＣ３５に記載の方法。
［Ｃ４２］  ｂＳ＋Δによって決定された前記継続時間を有するすべてのｎの周波数に関する前記信号を送信することであって、Ｓｂ、及びΔは、（ｂＳ＋Δ）が、１ｘＲＴＴ受信機をページングし及びこのホッピングサイクルをＮｆ−ｐｅｒ−ｃｙｃｌｅ回繰り返すために使用される１ｘＲＴＴページングスロットの前記定義された数ＳＡＬＬよりも小さいような値であることと、
前記次のホッピングサイクルを開始する前にデッドタイムＴＤの間待機することによってすべてのｎの周波数を通じてＮｆ−ｐｅｒ−ｃｙｃｌｅ回ホッピング後にビーコンバーストの送信をスタガリングすることであって、ＴＤは、１ｘＲＴＴ受信機をページングするために用いられるすべての１ｘＲＴＴページングスロットが、小数第１位が切り上げられたＳＡＬＬ／（（ｂＳ＋Δ）＊Ｎｆ−ｐｅｒ−ｃｙｃｌｅ）よりも大きくない連続するホッピングサイクルの数を用いてカバーされるような値が計算されることと、をさらに備えるＣ３５に記載の方法。
［Ｃ４３］  １又はｆｌｏｏｒ［ＳＡＬＬ／（ｎ（ｂＳ＋Δ）］から選択された数に等しいＮｆ−ｐｅｒ−ｃｙｃｌｅを選択することをさらに備えるＣ４２に記載の方法。
［Ｃ４４］  ＴＤ＝ＴＤ１＋ＴＤ２であるように前記デッドタイムＴＤを計算することをさらに備え、ＴＤ２＝（ｂＳ＋Δ）であり、［ｎＮｆ−ｐｅｒ−ｃｙｃｌｅ（ｂＳ＋Δ）＋ＴＤ１］は、ＳＡＬＬの整数倍数であるＣ４２に記載の方法。
［Ｃ４５］  対応する信号におけるｎの数の１ｘＲＴＴ周波数に関する１ｘＲＴＴ発見バーストを送信し、及び、ｂＳ＋Δによって決定された継続時間の間前記信号の各々を送信するために構成された少なくとも１つのプロセッサであって、各々の周波数に関する信号は、繰り返しシーケンスで次々に送信され、‘ｂ’は、整数であり、‘Ｓ’は、１ｘＲＴＴ受信機をページングするために使用されるすべての１ｘＲＴＴページングスロットの定義された数ＳＡＬＬよりも小さいか又は等しく、‘Δ’は、ゼロよりも大きい推定された一定の遅延値である少なくとも１つのプロセッサと、
データを格納するために前記少なくとも１つのプロセッサに結合されたメモリと、を備える、装置。
［Ｃ４６］  前記プロセッサは、すべてのｎの周波数に関する信号を備える前記１ｘＲＴＴバーストを送信するためにさらに構成され、前記１ｘＲＴＴバーストの各々は、ｎ（ｂＳ＋Δ）の周期を有するＣ４５に記載の装置。
［Ｃ４７］  前記プロセッサは、ｂＳ＋Δによって決定された前記継続時間を有する各々の周波数に関する前記１ｘＲＴＴバーストを送信するためにさらに構成され、Ｓは、１ｘＲＴＴ受信機をページングするために使用されるすべての１ｘＲＴＴページングスロットの定義された数ＳＡＬＬに等しく、前記１ｘＲＴＴバーストの各々は、ｎ（ｂＳＡＬＬ＋Δ）の周期を有するＣ４５に記載の装置。
［Ｃ４８］  前記プロセッサは、前記基地局での周波数切り換え遅延及びアクセス端末でのページングチャネル復号遅延のうちの少なくとも１つを備える予想される遅延の和を補償するためのΔに関する値を定義するためにさらに構成されるＣ４５に記載の装置。
［Ｃ４９］  前記プロセッサは、前記繰り返しシーケンスのＮ番目のサイクルごとに増大された電力レベルで前記１ｘＲＴＴビーコンを送信するためにさらに構成され、Ｎは、１よりも大きい整数であるＣ４５に記載の装置。
［Ｃ５０］  前記プロセッサは、前記１ｘＲＴＴビーコンへのアイドルハンドオフをトリガするために２つよりも多くない連続するウェイクアップサイクルを要求するアクセス端末に対処するために、前記繰り返しシーケンスの全信号に関して２に等しい前記整数ｂを選択するためにさらに構成されるＣ４５に記載の装置。
［Ｃ５１］  前記プロセッサは、前記１ｘＲＴＴビーコンへのアイドルハンドオフをトリガするために単一よりも多くないウェイクアップサイクルを要求するアクセス端末に対処するために、前記繰り返しシーケンスの全信号に関して１に等しい前記整数ｂを選択するためにさらに構成されるＣ４５に記載の装置。
［Ｃ５２］  前記プロセッサは、ｂＳ＋Δによって決定された前記継続時間を有するすべてのｎの周波数に関する前記信号を送信し、及び
次のホッピングサイクルを開始する前にデッドタイムＴＤの間待機することによってすべてのｎの周波数を通じてＮｆ−ｐｅｒ−ｃｙｃｌｅ回ホッピング後にビーコンバーストの送信をスタッガリングするためにさらに構成され、Ｓｂ、及びΔは、（ｂＳ＋Δ）が、１ｘＲＴＴ受信機をページングし及びこのホッピングサイクルをＮｆ−ｐｅｒ−ｃｙｃｌｅ回繰り返すために使用される１ｘＲＴＴページングスロットの定義された数ＳＡＬＬよりも小さいような値であり、ＴＤは、１ｘＲＴＴ受信機をページングするために用いられるすべての１ｘＲＴＴページングスロットが、小数第１位が切り上げられたＳＡＬＬ／（ｂＳ＋Δ）＊Ｎｆ−ｐｅｒ−ｃｙｃｌｅ）よりも大きくない連続するホッピングサイクルの数を用いてカバーされるように計算されるＣ４５に記載の装置。
［Ｃ５３］  前記プロセッサは、１又はｆｌｏｏｒ［ＳＡＬＬ／（ｎ（ｂＳ＋Δ）］から選択された数に等しいＮｆ−ｐｅｒ−ｃｙｃｌｅを選択するためにさらに構成されるＣ５２に記載の装置。
［Ｃ５４］  前記プロセッサは、ＴＤ＝ＴＤ１＋ＴＤ２であるように前記デッドタイムＴＤを計算するためにさらに構成され、ＴＤ２＝（ｂＳ＋Δ）であり、［ｎＮｆ−ｐｅｒ−ｃｙｃｌｅ（ｂＳ＋Δ）＋ＴＤ１］は、ＳＡＬＬの整数倍数であるＣ５２に記載の装置。
［Ｃ５５］  対応する信号におけるｎの数の１ｘＲＴＴ周波数に関する１ｘＲＴＴ発見バーストを送信するための手段であって、各々の周波数に関する信号は、繰り返しシーケンスで次々に送信される手段と、
ｂＳ＋Δによって決定された継続時間の間前記信号の各々を送信するための手段であって、‘ｂ’は、整数であり、‘Ｓ’は、１ｘＲＴＴ受信機をページングするために使用されるすべての１ｘＲＴＴページングスロットの定義された数ＳＡＬＬよりも小さいか又は等しく、‘Δ’は、ゼロよりも大きい推定された一定の遅延値である手段と、を備える、装置。
［Ｃ５６］  対応する信号におけるｎの数の１ｘＲＴＴ周波数に関する１ｘＲＴＴ発見バーストを送信すること、及び、ｂＳ＋Δによって決定された継続時間の間前記信号の各々を送信することを実施することをコンピュータに行わせるためのコードを備える非一時的なコンピュータによって読み取り可能な媒体であって、各々の周波数に関する信号は、繰り返しシーケンスで次々に送信され、ｂ’は、整数であり、‘Ｓ’は、１ｘＲＴＴ受信機をページングするために使用されるすべての１ｘＲＴＴページングスロットの定義された数ＳＡＬＬよりも小さいか又は等しく、‘Δ’は、ゼロよりも大きい推定された一定の遅延値である非一時的なコンピュータによって読み取り可能な媒体、を備える、コンピュータプログラム製品。
［Ｃ５７］  無線通信システムの基地局による１ｘ無線送信技術（１ｘＲＴＴ）ビーコンの送信を制御するための方法であって、
１ｘＲＴＴ発見バーストによって提供される前記基地局のメモリ内のｎｘＳＡＬＬ行列のカバレッジを追跡することであって、‘ｎ’は、１ｘＲＴＴ受信機に通信するために使用される１ｘＲＴＴ周波数の総数を示し、‘ＳＡＬＬ’は、前記無線通信システムにおいて１ｘＲＴＴ受信機をページングするために使用されるすべての１ｘＲＴＴページングスロットの定義された数を示すことと、
前記ｎの周波数のうちの１つの選択されたそれでの前記１ｘＲＴＴページングスロットのうちのすべてよりも少ない数をカバーする‘Ｓ’の数の信号パルスを各々備える１ｘＲＴＴ発見バーストを、前記ｎの周波数のうちの選択されたそれらにおいて、送信することと、
前記１ｘＲＴＴ発見バーストのうちの各々の引き続くそれによって提供されるｎ×ＳＡＬＬ行列のカバレッジの増大を最大化するために前記１ｘＲＴＴ発見バーストのうちのそれらを送信する前にｎの周波数のうちの前記それらを選択することと、を備える、方法。
［Ｃ５８］  前記ｎの周波数のうちの前記それらを選択することは、Ｓの数の信号パルスから成る次の組によってカバーすることができる前記１ｘＲＴＴページングスロットの部分組を決定することをさらに含むＣ５７に記載の方法。
［Ｃ５９］  前記ｎの周波数のうちのちの前記それらを選択することは、前記ｎの周波数のうちの各々のｉ番目のそれに関して、前記ｎ×ＳＡＬＬ行列においてカバーされているということをまだ示されておらず及びＳの数の信号パルスから成る次の組によってカバーすることができる１ｘＲＴＴページングスロットの数‘Ｗｉ’を決定することをさらに含むＣ５８に記載の方法。
［Ｃ６０］  前記ｎの周波数のうちの前記それらを選択することは、すべてのｉにおけるＷｉの最大値に等しい最大数Ｗｍａｘを決定することをさらに含み、Ｗｍａｘは、周波数ｆｉで生じるＣ５９に記載の方法。
［Ｃ６１］  カバレッジを追跡することは、前記選択された周波数ｆｉでのＳの数の信号パルスから成る次の組によってカバーされることになるページングスロットに関するこの周波数ｆｉのエントリを予め決定された値に設定することを含むＣ５７に記載の方法。
［Ｃ６２］  １ｘＲＴＴ発見バーストによって提供される前記基地局のメモリ内のｎ×ＳＡＬＬ行列のカバレッジを追跡し、前記ｎの周波数のうちの１つの選択されたそれでの前記１ｘＲＴＴページングスロットのうちのすべてよりも少ない数をカバーする‘Ｓ’の数の信号パルスを各々備える前記１ｘＲＴＴ発見バーストを、前記ｎの周波数のうちの選択されたそれらにおいて、送信することと、前記１ｘＲＴＴ発見バーストのうちの各々の引き続くそれによって提供されるｎ×ＳＡＬＬ行列のカバレッジの増大を最大化するために１ｘＲＴＴ発見バーストのうちのそれらを送信する前に前記ｎの周波数のうちの前記それらを選択するために構成された少なくとも１つのプロセッサであって、‘ｎ’は、１ｘＲＴＴ受信機に通信するために使用される１ｘＲＴＴ周波数の総数を示し、‘ＳＡＬＬ’は、前記無線通信システムにおいて１ｘＲＴＴ受信機をページングするために使用されるすべての１ｘＲＴＴページングスロットの定義された数を示す少なくとも１つのプロセッサと、
データを格納するために前記少なくとも１つのプロセッサに結合されたメモリと、を備える、装置。
［Ｃ６３］  前記プロセッサは、前記ｎの周波数のうちの前記それらを選択するためにさらに構成され、Ｓの数の信号パルスから成る次の組によってカバーすることができる前記１ｘＲＴＴページングスロットの部分組を決定することをさらに備えるＣ６２に記載の装置。
［Ｃ６４］  前記プロセッサは、前記ｎ周波数のうちの前記それらを選択するためにさらに構成され、前記ｎの周波数のうちの各々のｉ番目のそれに関して、前記ｎ×ＳＡＬＬ行列においてカバーされているということをまだ示されておらず及びＳの数の信号パルスから成る次の組によってカバーすることができる１ｘＲＴＴページングスロットの数‘Ｗｉ’を決定することをさらに備えるＣ６３に記載の装置。
［Ｃ６５］  前記プロセッサは、前記ｎの周波数のうちの前記それらを選択するためにさらに構成され、すべてのｉにおけるＷｉの最大値に等しい最大数Ｗｍａｘを決定することをさらに備え、Ｗｍａｘは、周波数ｆｉで生じるＣ６４に記載の装置。
［Ｃ６６］  前記プロセッサは、カバレッジを追跡するためにさらに構成され、前記選択された周波数ｆｉでのＳの数の信号パルスから成る次の組によってカバーされることになるページングスロットに関するこの周波数ｆｉのエントリを予め決定された値に設定することをさらに備えるＣ６２に記載の装置。
［Ｃ６７］  １ｘＲＴＴ発見バーストによって提供される前記基地局のメモリ内のｎ×ＳＡＬＬ行列のカバレッジを追跡するための手段であって、‘ｎ’は、１ｘＲＴＴ受信機に通信するために使用される１ｘＲＴＴ周波数の総数を示し、‘ＳＡＬＬ’は、無線通信システムにおいて１ｘＲＴＴ受信機をページングするために使用されるすべての１ｘＲＴＴページングスロットの定義された数を示す手段と、
前記ｎの周波数のうちの１つの選択されたそれでの前記１ｘＲＴＴページングスロットのうちのすべてよりも少ない数をカバーする'Ｓ'の数の信号パルスを各々備える１ｘＲＴＴ発見バーストを、前記ｎの周波数のうちの選択されたそれらにおいて、送信するための手段と、
前記１ｘＲＴＴ発見バーストの各々の引き続くそれによって提供される前記ｎ×ＳＡＬＬ行列のカバレッジの増大を最大化するために前記１ｘＲＴＴ発見バーストのうちのそれらを送信する前に前記ｎの周波数のうちの前記それらを選択するための手段と、を備える、装置。
［Ｃ６８］  １ｘＲＴＴ発見バーストによって提供される前記基地局のメモリ内のｎ×ＳＡＬＬ行列のカバレッジを追跡すること、前記ｎの周波数のうちの１つ選択されたそれでの前記１ｘＲＴＴページングスロットのすべてよりも少ない数をカバーする'Ｓ'の数の信号パルスを各々備える１ｘＲＴＴ発見バーストを、前記ｎの周波数のうちの選択されたそれらにおいて、送信すること、及び、前記１ｘＲＴＴ発見バーストの各々の引き続くそれによって提供される前記ｎ×ＳＡＬＬ行列のカバレッジの増大を最大化するために前記１ｘＲＴＴ発見バーストのうちのそれらを送信する前に前記ｎの周波数のうちの前記それらを選択することを実施することをコンピュータに行わせるためのコードを備える非一時的なコンピュータによって読み取り可能な媒体であって、‘ｎ’は、１ｘＲＴＴ受信機に通信するために使用される１ｘＲＴＴ周波数の総数を示し、‘ＳＡＬＬ’は、前記無線通信システムにおいて１ｘＲＴＴ受信機をページングするために使用されるすべての１ｘＲＴＴページングスロットの定義された数を示す非一時的なコンピュータによって読み取り可能な媒体、を備える、コンピュータプログラム製品。
【図１】
0006017619.tif 000002
【図２】
0006017619.tif 000003
【図３】
0006017619.tif 000004
【図４】
0006017619.tif 000005
【図５】
0006017619.tif 000006
【図６】
0006017619.tif 000007
【図７】
0006017619.tif 000008
【図８Ａ】
0006017619.tif 000009
【図８Ｂ】
0006017619.tif 000010
【図８Ｃ】
0006017619.tif 000011
【図９】
0006017619.tif 000012
【図１０Ａ】
0006017619.tif 000013
【図１０Ｂ】
0006017619.tif 000014
【図１１】
0006017619.tif 000015
【図１２Ａ】
0006017619.tif 000016
【図１２Ｂ】
0006017619.tif 000017
【図１２Ｃ】
0006017619.tif 000018
【図１３】
0006017619.tif 000019
【図１４】
0006017619.tif 000020
【図１５】
0006017619.tif 000021
【図１６】
0006017619.tif 000022